(57)【特許請求の範囲】
【請求項１】
管理用装置と、複数個の携帯電話端末とを有するシステムであって、
前記管理用装置は、
携帯電話端末を電話端末として使用するために必要な情報であって携帯電話端末毎に異なり、当該情報を読み込んで電話通信に使用することで携帯電話通信を可能にする識別用情報の複数個を、提供可能に具備する手段と、
携帯電話端末の端末情報と、当該端末情報で識別される携帯電話端末が使用可能である前記識別用情報との対応関係を記憶する記憶手段と、
前記携帯電話端末との接続を検知する検知手段と、
前記検知手段により接続中と検知された前記携帯電話端末からの前記端末情報を受信する受信手段と、
前記受信手段で受信した前記携帯電話端末の端末情報により前記記憶手段を参照して、前記端末情報で識別される携帯電話端末が使用可能である前記識別用情報を判別して、前記携帯電話端末に通知する通知手段と、
前記具備している前記複数個の識別用情報のそれぞれが使用中であるか、未使用であるかの使用状況を管理する管理手段と、
前記検知手段により接続中と検知されている前記携帯電話端末からの前記識別用情報の取得要求に応じて、前記管理手段において前記未使用とされている前記識別用情報のうちの一つの前記識別用情報を前記取得要求の対象である前記携帯電話端末に供与する供与手段と、
を備え、
前記管理手段は、前記供与手段により供与した前記識別用情報の使用状況を未使用から使用中に更新し、
前記携帯電話端末のそれぞれは、
前記管理用装置に接続されているときに、自端末の前記端末情報を前記管理用装置に送信する手段と、
前記管理用装置から通知された前記使用可能である前記識別用情報を、使用者に報知するための表示手段と、
前記識別用情報を記憶保持するための記憶保持部と、
前記管理用装置に接続されているときに、使用者の操作に応じて前記識別用情報の取得要求を送る手段と、
前記識別用情報の取得要求に応じて前記管理用装置の供与手段から供与された前記識別用情報を受信して前記記憶保持部に記憶保持する手段と、
前記記憶保持部に記憶保持されている前記識別用情報を読み込んで携帯電話通信を可能に制御する手段であって、使用者による発信のための操作入力および着信の応答のための操作入力に応じて、前記識別用情報を用いた携帯電話通信の発信及び受信をするように制御する制御手段と
を備え、
前記携帯電話端末は、前記管理用装置に接続されているときに、使用者の所定の操作入力に基づいて、自端末の前記端末情報を含む識別用情報の推薦要求を、前記管理用装置に送信し、
前記管理用装置は、前記推薦要求に応じて、前記通知手段により、前記使用可能である識別用情報の通知をする
ことを特徴とする携帯電話端末の識別用情報の管理システム。
【請求項２】
前記携帯電話端末のそれぞれの制御手段は、前記管理用装置に対して接続されたときに、それまで使用していた前記識別用情報を前記管理用装置に返却して前記記憶保持部に記憶保持していた前記識別用情報の使用を不可とするように制御し、
前記管理用装置は、前記検知手段で接続が検知された前記携帯電話端末から送られてくる当該携帯電話端末でそれまで使用されていた前記識別用情報の返却を受け付け、当該返却を受け付けた前記識別用情報の使用状況を使用中から未使用に更新する
ことを特徴とする請求項１に記載の携帯電話端末の識別用情報の管理システム。
【請求項３】
前記管理用装置は、管理用サーバと、前記管理用サーバに接続され、前記複数個の携帯電話端末のそれぞれの充電を行うための１以上の充電台とからなり、
前記携帯電話端末の前記管理用装置に対する接続は、前記充電台に対する前記携帯電話端末の接続である
ことを特徴とする請求項１または請求項２に記載の携帯電話端末の識別用情報の管理システム。
【請求項４】
携帯電話端末を電話端末として使用するために必要な情報であって携帯電話端末毎に異なり、当該情報を読み込んで電話通信に使用することで携帯電話通信を可能にする識別用情報の複数個を、提供可能に具備する手段と、
携帯電話端末の端末情報と、当該端末情報で識別される携帯電話端末が使用可能である前記識別用情報との対応関係を記憶する記憶手段と、
前記携帯電話端末との接続を検知する検知手段と、
前記検知手段により接続中と検知された前記携帯電話端末からの前記端末情報を受信する受信手段と、
前記受信手段で受信した前記携帯電話端末の端末情報により前記記憶手段を参照して、前記端末情報で識別される携帯電話端末が使用可能である前記識別用情報を判別して、前記携帯電話端末に通知する通知手段と、
前記具備している前記複数個の識別用情報のそれぞれが使用中であるか、未使用であるかの使用状況を管理する管理手段と、
前記検知手段により接続中と検知されている前記携帯電話端末からの前記識別用情報の取得要求に応じて、前記管理手段において前記未使用とされている前記識別用情報のうちの一つの前記識別用情報を前記取得要求の対象である前記携帯電話端末に供与する供与手段と、
を備え、
前記管理手段は、前記供与手段により供与した前記識別用情報の使用状況を未使用から使用中に更新し、
前記携帯電話端末が接続されているときに、使用者の所定の操作入力に基づいて送信される、自端末の前記端末情報を含む識別用情報の推薦要求に応じて、前記通知手段により、前記使用可能である識別用情報の通知をする
ことを特徴とする携帯電話端末の識別用情報の管理用装置。
【請求項５】
携帯電話端末を電話端末として使用するために必要な情報であって携帯電話端末毎に異なり、当該情報を読み込んで電話通信に使用することで携帯電話通信を可能にする識別用情報を、複数個、具備する管理用装置と、前記識別用情報を記憶保持するための記憶保持部を備える１以上の携帯電話端末とを有するシステムにおける携帯電話端末の識別用情報の管理方法であって、
前記管理用装置は、
前記識別用情報の複数個を、提供可能に具備すると共に、携帯電話端末の端末情報と、当該端末情報で識別される携帯電話端末が使用可能である前記識別用情報との対応関係を記憶する記憶部を備えていると共に、
前記携帯電話端末との接続を検知する検知工程と、
前記検知工程により接続中と検知された前記携帯電話端末からの前記端末情報を受信する受信工程と、
前記受信工程で受信した前記携帯電話端末の端末情報により前記記憶部を参照して、前記端末情報で識別される携帯電話端末が使用可能である前記識別用情報を判別して、前記携帯電話端末に通知する通知工程と、
前記具備している前記複数個の識別用情報のそれぞれが使用中であるか、未使用であるかの使用状況を管理する管理工程と、
前記検知工程で接続中と検知されている前記携帯電話端末からの前記識別用情報の取得要求に応じて、前記管理工程において前記未使用とされている前記識別用情報のうちの一つの前記識別用情報を前記取得要求の対象である前記携帯電話端末に供与する供与工程と、
を有し、
前記管理工程では、前記供与工程により供与した前記識別用情報の使用状況を未使用から使用中に更新し、
前記通知工程では、携帯電話端末が接続されているときに、使用者の所定の操作入力に基づいて送信される、自端末の前記端末情報を含む識別用情報の推薦要求に応じて、通知手段により、前記使用可能である識別用情報の通知をし、
前記携帯電話端末のそれぞれは、
前記管理用装置に接続されているときに、使用者の所定の操作入力に基づいて自端末の前記端末情報を含む前記識別用情報の推薦要求を前記管理用装置に送信する工程と、
前記管理用装置から通知された前記使用可能である前記識別用情報を、使用者に報知するための表示工程と、
前記管理用装置に接続されているときに、使用者の操作に応じて前記識別用情報の取得要求を送る工程と、
前記識別用情報の取得要求に応じて前記管理用装置の供与工程から供与された前記識別用情報を受信して前記記憶保持部に記憶保持する工程と、
前記記憶保持部に記憶保持されている前記識別用情報を読み込んで携帯電話通信を可能に制御する工程であって、使用者による発信のための操作入力および着信の応答のための操作入力に応じて、前記識別用情報を用いた携帯電話通信の発信及び受信をするように制御する制御工程と
を有することを特徴とする携帯電話端末の識別用情報の管理方法。
【発明の詳細な説明】
【技術分野】
【０００１】
この発明は、例えばＳＩＭ（Subscriber  Identify  Module）カード情報のような携帯電話端末の識別用情報の管理システムおよび管理用装置並びに管理方法に関する。
【背景技術】
【０００２】
ＳＩＭカードと呼ばれるＩＣカードを装着することにより、携帯電話通信を行うことができる携帯電話端末が知られている。ＳＩＭカードには、携帯電話端末を電話端末として使用するために必要な情報であって電話端末毎に異なる識別用情報、例えば加入者電話番号（加入者ＩＤ）や携帯電話事業者情報が記憶されており、携帯電話端末は、このＳＩＭカードに記憶されている情報を読み込んで電話通信に使用することで、発信や発呼のための操作入力や着信や着呼の応答のための操作入力に基づく携帯電話通信が可能となる。
【０００３】
したがって、このＳＩＭカードを用いれば、一つのＳＩＭカードを、複数個の携帯電話端末で差し換えて使用することが可能であり、当該複数個の携帯電話端末を同じ識別用情報の加入者（契約者）として扱って、携帯電話通信を行うことが可能となる。また、ＳＩＭカードを複数個所持していれば、一つの携帯電話端末で、その複数個のＳＩＭカードのうちの一つを用いて、携帯電話通信が可能となる。
【０００４】
特許文献１（特開２０１０−２１３０４９号公報）には、上述した複数個のうちの一つのＳＩＭカードを用いて携帯電話通信が可能であることを利用する電話装置が提案されている。すなわち、この特許文献１の電話装置においては、構内電話交換装置に複数の携帯電話事業者のＳＩＭカードを装着しておき、任意の内線電話機から携帯電話端末に対して発信する場合に、発信先の携帯電話番号により発信先の携帯電話事業者を特定し、その特定された携帯電話事業者の認証情報と同一のＳＩＭカードの記憶情報を使用して発信するようにすることが開示されている。
【先行技術文献】
【特許文献】
【０００５】
【特許文献１】特開２０１０−２１３０４９号公報
【発明の概要】
【発明が解決しようとする課題】
【０００６】
特許文献１の電話装置においては、構内電話交換装置に装着した複数のＳＩＭカードの中から、発信先の携帯電話番号により特定される携帯電話事業者に応じたＳＩＭカードの記憶情報を自動的に選択して利用することができる。
【０００７】
しかしながら、この特許文献１の電話装置の発明は、複数のＳＩＭカードの記憶情報を使用できるのは、構内電話交換装置に接続されている内線電話機に限られているため、携帯電話端末の使用者が、自分の携帯電話端末に、当該携帯電話端末で使用可能な任意のＳＩＭカードやＳＩＭカードの記憶情報を保持して使用するという用途に適用することはできない。
【０００８】
また、特許文献１の発明では、使用できるＳＩＭカードの記憶情報は、発信先の携帯電話番号により特定される携帯電話事業者の認証情報と同一のＳＩＭカード情報に自動的に特定されてしまう。このため、特許文献１の発明では、携帯電話端末で使用可能な任意のＳＩＭカードのうちの使用者側の要求に合致したＳＩＭカードの記憶情報を選択して使用する、などという態様は不可能である。
【０００９】
以上のことにかんがみ、この発明は、ＳＩＭカードの記憶情報などの識別用情報を複数個備える場合に、その複数個の識別用情報を、当該識別用情報を用いることで電話通信が可能となる携帯電話端末に対して、使用者が任意に選択したＳＩＭカードを交換可能に適切に利用することができるようにする管理システムおよび管理方法を提供することを目的とする。
【課題を解決するための手段】
【００１０】
上記の課題を解決するために、請求項１の発明は、
管理用装置と、複数個の携帯電話端末とを有するシステムであって、
前記管理用装置は、
携帯電話端末を電話端末として使用するために必要な情報であって携帯電話端末毎に異なり、当該情報を読み込んで電話通信に使用することで携帯電話通信を可能にする識別用情報の複数個を、提供可能に具備する手段と、
携帯電話端末の端末情報と、当該端末情報で識別される携帯電話端末が使用可能である前記識別用情報との対応関係を記憶する記憶手段と、
前記携帯電話端末との接続を検知する検知手段と、
前記検知手段により接続中と検知された前記携帯電話端末からの前記端末情報を受信する受信手段と、
前記受信手段で受信した前記携帯電話端末の端末情報により前記記憶手段を参照して、前記端末情報で識別される携帯電話端末が使用可能である前記識別用情報を判別して、前記携帯電話端末に通知する通知手段と、
前記具備している前記複数個の識別用情報のそれぞれが使用中であるか、未使用であるかの使用状況を管理する管理手段と、
前記検知手段により接続中と検知されている前記携帯電話端末からの前記識別用情報の取得要求に応じて、前記管理手段において前記未使用とされている前記識別用情報のうちの一つの前記識別用情報を前記取得要求の対象である前記携帯電話端末に供与する供与手段と、
を備え、
前記管理手段は、前記供与手段により供与した前記識別用情報の使用状況を未使用から使用中に更新し、
前記携帯電話端末のそれぞれは、
前記管理用装置に接続されているときに、自端末の前記端末情報を前記管理用装置に送信する手段と、
前記管理用装置から通知された前記使用可能である前記識別用情報を、使用者に報知するための表示手段と、
前記識別用情報を記憶保持するための記憶保持部と、
前記管理用装置に接続されているときに、使用者の操作に応じて前記識別用情報の取得要求を送る手段と、
前記識別用情報の取得要求に応じて前記管理用装置の供与手段から供与された前記識別用情報を受信して前記記憶保持部に記憶保持する手段と、
前記記憶保持部に記憶保持されている前記識別用情報を読み込んで携帯電話通信を可能に制御する手段であって、使用者による発信のための操作入力および着信の応答のための操作入力に応じて、前記識別用情報を用いた携帯電話通信の発信及び受信をするように制御する制御手段と
を備え、
前記携帯電話端末は、前記管理用装置に接続されているときに、使用者の所定の操作入力に基づいて、自端末の前記端末情報を含む識別用情報の推薦要求を、前記管理用装置に送信し、
前記管理用装置は、前記推薦要求に応じて、前記通知手段により、前記使用可能である識別用情報の通知をする
ことを特徴とする携帯電話端末の識別用情報の管理システムを提供する。
【００１１】
上述の構成の請求項１の発明においては、携帯電話端末は、管理用装置に接続されているときに、自端末の端末情報を管理用装置に送信する。管理用装置は、携帯電話端末の端末情報を受信すると、記憶手段を参照して、その端末情報で識別される携帯電話端末が使用可能である識別用情報を判別して、携帯電話端末に通知する。
【００１２】
携帯電話端末は、管理用装置からの自端末が使用可能である識別用情報を表示手段により表示して、使用者に報知する。
【００１３】
したがって、使用者は、表示手段に表示されて報知された使用可能な識別用情報の中から、任意の一つを選択するだけで、容易に、自携帯電話端末で利用しようとする識別用情報を選択することができる。
【００１５】
そして、上述の構成の請求項１の発明においては、携帯電話端末の使用者は、管理用装置との接続中に、識別用情報の取得要求を管理用装置に送る所定の操作をする。すると、管理用装置は、その取得要求に応じて、管理手段において使用状況が未使用とされている識別用情報のうちの一つの識別用情報を、取得要求の対象である携帯電話端末に供与する。そして、管理用装置は、供与した識別用情報の使用状況は未使用から使用に変更する。
【００１６】
携帯電話端末は、管理用装置から供与された識別用情報を受けて保持し、当該保持した識別用情報を使用した電話端末として動作可能となる。
【００１７】
つまり、携帯電話端末を管理用装置に接続すると、表示手段により使用可能な識別用情報が報知されるので、使用者は、その報知された識別用情報の中から、自分が希望する一つの識別用情報を選択して取得要求をするだけで、当該携帯電話端末を、当該選択した識別用情報を使用する携帯電話通信が可能の状態にすることができる。
【００１８】
また、請求項２の発明は、請求項１に記載の携帯電話端末の識別用情報の管理システムにおいて、
前記携帯電話端末のそれぞれの制御手段は、前記管理用装置に対して接続されたときに、それまで使用していた前記識別用情報を前記管理用装置に返却して前記記憶保持部に記憶保持していた前記識別用情報の使用を不可とするように制御し、
前記管理用装置は、前記検知手段で接続が検知された前記携帯電話端末から送られてくる当該携帯電話端末でそれまで使用されていた前記識別用情報の返却を受け付け、当該返却を受け付けた前記識別用情報の使用状況を使用中から未使用に更新する
ことを特徴とする。
【００１９】
この請求項２の発明においては、使用者が携帯電話端末を管理用装置に接続させた状態にすると、自動的に、当該携帯電話端末が使用していた識別用情報は管理用装置に返却される。したがって、管理用装置は、その返却された識別用情報を他の携帯電話端末に供与することができるようになる。
【発明の効果】
【００２０】
この発明によれば、複数個の識別用情報のうち、それぞれの携帯電話端末が使用可能な識別用情報を、携帯電話端末の使用者に報知することができるので、携帯電話端末の使用者は、当該報知された使用可能な識別用情報から一つの識別用情報を容易に選択することができる。
【図面の簡単な説明】
【００２１】
【図１】この発明による携帯電話端末の識別用情報の管理システムの第１の実施形態の全体構成を示すシステム図である。
【図２】第１の実施形態の管理システムを構成する管理サーバのハードウエア構成例を示すブロック図である。
【図３】図２のハードウエア構成例の一部を説明するために用いる図である。
【図４】図２のハードウエア構成例の一部を説明するために用いる図である。
【図５】推薦カード報知画面の第１の例を説明するための図である。
【図６】推薦カード報知画面の第２の例を説明するための図である。
【図７】第１の実施形態の管理システムを構成する携帯電話端末のハードウエア構成例を示すブロック図である。
【図８】第１の実施形態の管理システムを構成する充電台のハードウエア構成例を示すブロック図である。
【図９】第１の実施形態の管理システムにおける処理シーケンス例を説明するためのシーケンス図である。
【図１０】第１の実施形態の管理システムを構成する管理サーバの処理動作を説明するためのフローチャートの一部を示す図である。
【図１１】第１の実施形態の管理システムを構成する管理サーバの処理動作を説明するためのフローチャートの一部を示す図である。
【図１２】第１の実施形態の管理システムを構成する携帯電話端末の処理動作を説明するためのフローチャートの一部を示す図である。
【図１３】第１の実施形態の管理システムを構成する携帯電話端末の処理動作を説明するためのフローチャートの一部を示す図である。
【図１４】第１の実施形態の管理システムを構成する携帯電話端末の処理動作を説明するためのフローチャートの一部を示す図である。
【図１５】第１の実施形態の管理システムを構成する充電台の処理動作を説明するためのフローチャートの一部を示す図である。
【図１６】第１の実施形態の管理システムを構成する充電台の処理動作を説明するためのフローチャートの一部を示す図である。
【図１７】第１の実施形態の管理システムを構成する充電台の処理動作を説明するためのフローチャートの一部を示す図である。
【図１８】この発明による携帯電話端末の識別用情報の管理システムの第２の実施形態の全体構成を示すシステム図である。
【図１９】第２の実施形態の管理システムを説明するために用いる図である。
【図２０】第２の実施形態の管理システムにおける処理シーケンス例を説明するためのシーケンス図である。
【発明を実施するための形態】
【００２２】
以下、この発明による携帯電話端末の識別用情報の管理システムの一実施形態を、図を参照しながら説明する。以下の実施形態の説明では、識別用情報がＳＩＭカードの記憶情報である場合として説明する。この例の場合、ＳＩＭカードには、少なくとも、加入者電話番号と、契約関係にある携帯電話事業者情報とが記憶されている。
【００２３】
この実施形態は、例えば、或る会社が複数台の携帯電話端末を所有すると共に、複数個のＳＩＭカードを所有しており、社員が、前記複数台の携帯電話端末の中から任意の携帯電話端末を選択すると共に、前記複数個のＳＩＭカードの記憶情報の中から希望するＳＩＭカードの記憶情報を選択して使用する場合を想定している。
【００２４】
［第１の実施形態］
図１は、この発明の管理システムの第１の実施形態のシステム構成例を示す図である。この実施形態の管理システムは、管理サーバ１と、ｎ個（ｎは１以上の整数）の携帯電話端末２１〜２ｎと、各携帯電話端末２１〜２ｎ用の充電台３１〜３ｎと、ＬＡＮ（Local  Area  Network）スイッチ４と、ｍ個（ｍは２以上の整数）のＳＩＭカード５１〜５ｍからなる。
【００２５】
この実施形態で用いられる携帯電話端末２１〜２ｎは、ＳＩＭカードを装填していなくても、ＳＩＭカードの記憶情報を記憶保持することで携帯電話通信が可能になる構成を有するものである。また、この実施形態の携帯電話端末２１〜２ｎは、比較的画面サイズの大きいディスプレイを備える、いわゆるスマートフォンと呼ばれるタイプのもので構成されている。
【００２６】
管理サーバ１は、ｍ個のＳＩＭカード装填部６１〜６ｍを備える。ｍ個のＳＩＭカード５１〜５ｍのそれぞれは、ｍ個のＳＩＭカード装填部６１〜６ｍのいずれかに装填可能である。管理サーバ１は、後述するように、ＳＩＭカード装填部６１〜６ｍに装填されたＳＩＭカード５１〜５ｍの記憶情報の、携帯電話端末２１〜２ｎに対する供与、また、携帯電話端末２１〜２ｎからＳＩＭカード情報の返却、を管理して、ｍ個のＳＩＭカード５１〜５ｍのＳＩＭカード情報の使用状況を管理する。
【００２７】
この実施形態の場合、ｍ個のＳＩＭカード５１〜５ｍは、契約関係にある携帯電話事業者が共通の１事業者のものに限られる必要はなく、複数の携帯電話事業者のものが混在していても良い。また、携帯電話端末２１〜２ｎも、共通の１社の携帯電話事業者用の端末に限られる必要はなく、ＳＩＭカード装填部６１〜６ｍに装填されるＳＩＭカード５１〜５ｍの種別に応じた複数の携帯電話事業者用の携帯電話端末とすることができる。また、携帯電話端末２１〜２ｎは、その製造会社にも制限はないことは言うまでもない。
【００２８】
充電台３１〜３ｎは、ＬＡＮスイッチ４を通じて、ＬＡＮ７により管理サーバ１に接続されている。この実施形態では、管理サーバ１と、当該管理サーバ１にＬＡＮ７により接続された充電台３１〜３ｎとにより、管理用装置が構成されている。したがって、充電台３１〜３ｎは、管理用装置の携帯電話端末２１〜２ｎとの接続手段の役割も備えている。なお、この例では、管理サーバ１と充電台３１〜３ｎとの間の接続は、ＬＡＮスイッチ４を通じた有線ＬＡＮの構成としたが、無線ＬＡＮの構成とすることもできる。
【００２９】
そして、この実施形態では、携帯電話端末２１〜２ｎおよび充電台３１〜３ｎは、ＵＳＢコネクタ（端子）を有し、ＵＳＢケーブル８により互いに接続される。この実施形態では、充電電力もＵＳＢコネクタを通じて充電台３１〜３ｎのそれぞれから携帯電話端末２１〜２ｎのそれぞれに伝送するようにしている。
【００３０】
そして、この実施形態では、管理サーバ１と、携帯電話端末２１〜２ｎのそれぞれとの通信は、充電台３１〜３ｎのそれぞれを通じて行うように構成されている。
【００３１】
管理サーバ１は、ｍ個のＳＩＭカード５１〜５ｍのそれぞれの識別用情報である電話番号、キャリア情報（携帯電話事業者情報）などの他、ＳＩＭカードの情報の使用状況を管理するために、カード管理テーブルを備える。カード管理テーブルの使用状況の情報としては、ＳＩＭカード装填部６１〜６ｍに装填されているＳＩＭカード５１〜５ｍの記憶情報である識別用情報（以下、ＳＩＭカード情報という）のそれぞれが携帯電話端末によって「使用中」であるか、あるいは「未使用」であるかが記録される。カード管理テーブルには、ＳＩＭカード情報を使用中の携帯電話端末の識別情報も記録される。
【００３２】
また、この実施形態の管理サーバ１は、当該管理サーバ１が管理すべき携帯電話端末のＭＡＣアドレスや製造番号、機種情報などを端末管理テーブルとして記憶して備える。端末管理テーブルに記憶して管理する携帯電話端末に関する情報、特に、機種情報は、予め、使用者が管理サーバ１に入力して登録するようにしても良いが、この実施形態では、後述するように、充電台に接続された携帯電話端末の全てを管理すべき携帯電話端末であるとして、自動的に登録して管理するようにする。
【００３３】
なお、この実施形態では、管理サーバ１は、後述するように、携帯電話端末２１〜２ｎから取得する端末情報に基づき、携帯電話端末２１〜２ｎのそれぞれの機種を検索したり、使用可能なＳＩＭカードに関する情報を検索したりするために、インターネットを含む通信ネットワーク９に接続されている。使用可能なＳＩＭカードに関する情報としては、この実施形態では、ＳＩＭカード番号やカードＩＤが用いられる。
【００３４】
なお、以下の説明において、ｎ個の携帯電話端末２１〜２ｎおよびｎ個の充電台３１〜３ｎのいずれであるかを区別する必要がないときには、携帯電話端末２および充電台３と称する。同様に、ＳＩＭカードおよびＳＩＭカード装填部の説明において、ｍ個のＳＩＭカード５１〜５ｍおよびＳＩＭカード装填部６１〜６ｍのいずれであるかを区別する必要のないときには、ＳＩＭカード５およびＳＩＭカード装填部６と称する。
【００３５】
次に、この実施形態の管理システムを構成する管理サーバ１、携帯電話端末２および充電台３のそれぞれのハードウエア構成例について説明する。
【００３６】
［管理サーバ１のハードウエア構成例］
図２は、この実施形態の管理サーバ１のハードウエア構成例を示す図である。この例の管理サーバ１は、マイクロコンピュータを搭載して構成されており、システムバス１００に対して、ＣＰＵ（Central  Processing  Unit）１０１、ＲＯＭ（Read  Only  Memory）１０２、ＲＡＭ（Random  Access  Memory）１０３、外部通信用インターフェース１０４、ＬＡＮ用インターフェース１０５、外部通信用送受信部１０６、ＬＡＮ用送受信部１０７、カードインターフェース１０８１〜１０８ｍ、カード管理テーブルメモリ１０９、端末管理テーブルメモリ１１０、推薦カード情報生成部１１１、のそれぞれが接続されている。
【００３７】
ＣＰＵ１０１は、ＲＯＭ１０２に記憶されているプログラムに従って、ＲＡＭ１０３をワークエリアとして用いることにより、以下に説明するような管理サーバ１が実行する種々の処理を、ソフトウエア処理として実行する。
【００３８】
外部通信用インターフェース１０４は、インターネットを含む通信ネットワーク９に接続されている。ＬＡＮ用インターフェース１０５は、ＬＡＮケーブルを通じてＬＡＮスイッチ４に接続されている。
【００３９】
外部通信用送受信部１０６は、ＣＰＵ１０１の制御の下、外部通信用インターフェース１０４を通じて受信したデータをデコードおよび解析して、システムバス１００に送出すると共に、通信ネットワーク９に送出すべき送信データを生成し、外部通信用インターフェース１０４に渡すようにする。その送信データには、管理サーバの識別情報が含められる。
【００４０】
ＬＡＮ用送受信部１０７は、ＣＰＵ１０１の制御の下、ＬＡＮ用インターフェース１０５を通じて受信したデータをデコードおよび解析して、システムバス１００に送出すると共に、ＬＡＮ７に送出すべき送信データを生成し、ＬＡＮ用インターフェース１０５に渡すようにする。その送信データには、管理サーバの識別情報が含められる。
【００４１】
カードインターフェース１０８１〜１０８ｍのそれぞれは、ＳＩＭカード装填部６１〜６ｍ内に設けられているカード用コネクタ１１２１〜１１２ｍに接続されている。ＳＩＭカード装填部６１〜６ｍにＳＩＭカード５が装填されると、ＳＩＭカード５の接点端子とカード用コネクタ１１２１〜１１２ｍの接点端子とが電気的に接続され、カードインターフェース１０８１〜１０８ｍのそれぞれを通じて、ＳＩＭカード５からＳＩＭカード情報を読み出すことができる。
【００４２】
カード管理テーブルメモリ１０９には、管理サーバ１のＳＩＭカード装填部６１〜６ｍに装填されているＳＩＭカード５の全てについての管理情報が記録されているカード管理テーブルの情報が記憶されている。カード管理テーブルに記録される管理情報の例を図３に示す。
【００４３】
すなわち、図３の例においては、カード管理テーブルには、ＳＩＭカードの識別情報（カードＩＤ）と、使用状況、使用端末、電話番号、キャリア（携帯電話事業者）、残額、のそれぞれが記録される。図３において、「ＳＩＭ  Ｎｏ．」は、ＳＩＭカード装填部６１〜６ｍに対応して付与されているＳＩＭカード番号であり、カードＩＤは、ＳＩＭカード５１〜５ｍのそれぞれに記憶されている識別情報である。管理サーバ１は、ＳＩＭカード番号とカードＩＤとの対応関係を、図３のようにカード管理テーブルに登録して管理している。
【００４４】
使用状況の情報としては、そのＳＩＭカードのＳＩＭカード情報が携帯電話端末２に渡されて「使用中」であるか、「未使用」であるか、あるいはＳＩＭカード情報が携帯電話端末２に渡されてはいるが「使用待機」の状態であるか、のいずれかが記録される。
【００４５】
使用端末の情報としては、そのＳＩＭカードのＳＩＭカード情報を使用中または使用待機の状態である携帯電話端末２の識別情報、この例では携帯電話端末のＭＡＣ（Media  Access  Control）アドレス（図３では、ＭＡＣ−ＡやＭＡＣ−Ｂと記載）が記録される。携帯電話端末２の識別情報を、以下、端末ＩＤと称することとする。
【００４６】
電話番号、キャリア、残額の情報としては、ＳＩＭカード情報に含まれる加入者電話番号、携帯電話事業者、通信料金の決済に関する情報が記録される。残額が「ｃａｒｄ」と記録されているときには、通信料金の決済はクレジットカードによることを意味している。また、残額が「２３００」のように数値で記録されているときには、通信料金の決済はプリペイドによるもので、残額としてその数値分（２３００円）残っていることを意味している。
【００４７】
端末管理テーブルメモリ１１０には、管理サーバ１に登録された携帯電話端末２の端末情報（ＭＡＣアドレスや製造番号）やその他の携帯電話端末に関する情報からなる管理情報を記録した端末管理テーブルの情報が記憶されている。携帯電話端末２が充電台３とＵＳＢケーブル８で接続（以下、ＵＳＢ接続という）されると、その携帯電話端末２から端末情報が管理サーバ１に送られ、未登録であれば、管理サーバ１に登録される。端末管理テーブルに記録される管理情報の例を図４に示す。
【００４８】
すなわち、図４の例においては、端末管理テーブルには、携帯電話端末２のＭＡＣアドレス（端末ＩＤ）と、製造番号と、機種コードと、使用可能ＳＩＭカードに関する情報と、充電台３の識別情報（以下、充電台ＩＤという）とが管理情報として記録される。
【００４９】
機種コードおよび使用可能ＳＩＭカードに関する情報は、管理サーバ１が通信ネットワーク９を通じて、Ｗｅｂページから取得する。すなわち、この実施形態では、携帯電話端末の製造会社は、Ｗｅｂページに、自社が製造した携帯電話端末の製造番号やＭＡＣアドレスに対応して、その機種コードと、当該携帯電話端末が使用可能なＳＩＭカードに関する情報とを掲載するものとする。さらに、そのＷｅｂページには、通信料金についての情報、各携帯電話端末の機種毎に備えるＧＰＳ機能やナビゲーション機能などの機能の情報や、携帯電話通信の可能エリアに関する情報などをも掲載するようにしても良い。管理サーバ１は、図示は省略するが、各製造会社の前記ＷｅｂページのＵＲＬ（Uniform Resource Locator）を記憶している。
【００５０】
そして、管理サーバ１は、受信した携帯電話端末２のＭＡＣアドレスに含まれるカンパニーコードから当該携帯電話端末の製造会社を判別する。そして、管理サーバ１は、判別した製造会社のＷｅｂページのＵＲＬを読み出して、通信ネットワーク９を通じて当該Ｗｅｂページアクセスする。さらに、管理サーバ１は、当該Ｗｅｂページに携帯電話端末２のＭＡＣアドレスと製造番号とを検索子として送り、その検索結果として、当該Ｗｅｂページから、携帯電話端末の機種コードと使用可能なＳＩＭカードに関する情報とを取得する。そして、取得した携帯電話端末２の機種コードと使用可能なＳＩＭカードに関する情報とを、端末管理テーブルに登録する。なお、図４では、使用可能なＳＩＭカードに関する情報としては、ＳＩＭカード番号を登録するようにしてあるが、カードＩＤであってもよい。
【００５１】
また、充電台ＩＤは、携帯電話端末２を充電台３にＵＳＢケーブル８を通じて接続したときに、端末管理テーブルに記録される。そして、管理サーバ１は、携帯電話端末２と充電台３とのＵＳＢ接続が解除されたときには、その充電台ＩＤの記録を消去する。
【００５２】
推薦カード情報生成部１１１は、充電台３に接続されて管理用装置に接続された携帯電話端末２に対して、カード管理テーブルに登録されている複数個のＳＩＭカード情報のうちの、当該接続された携帯電話端末２で使用可能なＳＩＭカード情報を通知するための推薦カード情報を生成する。この実施形態では、後述するように、充電台３に携帯電話端末２が接続されると、携帯電話端末２は、充電台３を通じて管理サーバ１に端末情報等を送信する。
【００５３】
推薦カード情報生成部１１１は、この携帯電話端末２から受信した端末情報により、端末管理テーブルメモリ１１０の端末管理テーブルを参照して、当該携帯電話端末２で使用可能となるＳＩＭカード情報を判別し、その判別結果を反映した推薦カード情報を生成する。また、当該携帯電話端末２で使用可能であるＳＩＭカード情報であっても、その使用状況（他の携帯電話端末２により使用されている等）によっては使用不可となるので、この実施形態では、推薦カード情報生成部１１１は、カード管理テーブルメモリ１０９のカード管理テーブルの使用状況を参照し、その使用状況の参照結果も、推薦カード情報に反映するようにしている。
【００５４】
なお、推薦カード情報生成部１１１は、充電台３１〜３ｎのそれぞれ接続された携帯電話端末２１〜２ｎのそれぞれ毎に生成する必要があり、また、後述するように、ＳＩＭカード情報の使用状況の変化に応じて更新する必要がある。
【００５５】
管理サーバ１のＣＰＵ１０１は、生成された推薦カード情報を、端末情報を送ってきた携帯電話端末２に送信するようにする。携帯電話端末２は、この推薦カード情報を受信すると、推薦カード情報に基づく推薦カード報知画面を生成して、その表示画面に表示するようにする。
【００５６】
［推薦カード報知画面の例］
推薦カード情報に基づく推薦カード報知画面の幾つかの例を説明する。図５に推薦カード報知画面の第１の例を示す。この第１の例においては、カード管理テーブルメモリ１０９の各管理情報に、端末情報で識別される携帯電話端末２毎に異なる推薦度の情報が、推薦カード情報生成部１１１において生成され、各携帯電話端末２に送信される。すなわち、この例の推薦カード報知画面においては、その時点におけるカード管理テーブルの管理情報（全てのＳＩＭカード情報の管理情報）が携帯電話端末２の使用者に報知されると共に、当該携帯電話端末２で使用可能となるＳＩＭカード情報が推薦度として表示される。
【００５７】
図５において、推薦度「×」は、使用不可であることを示し、また、推薦度「◎」および「○」は、使用可能であることを示しており、推薦度「◎」の方が、より推薦度が高いことを示している。ここで、推薦度「◎」にするか「○」にするかの条件は、この例では、管理サーバ１の推薦カード情報生成部１１１に予め設定されて条件としており、例えば、通信料金の安い順となっている。
【００５８】
なお、図５の例では、「Ｎｏ．０１」および「Ｎｏ．０２」のＳＩＭカード情報については、使用状況が「使用中」であるので、推薦度は「×」とした。また、この例では、使用状況が「使用待機」のときにも、推薦度は「×」とする。しかし、使用者が使用状況を参照することで、「使用中」、「使用待機」のＳＩＭカード情報を、これから使用しようとする選択対象のＳＩＭカード情報から排除するであろうことを考慮した場合には、前記「Ｎｏ．０１」および「Ｎｏ．０２」のＳＩＭカード情報についても、端末管理テーブルの参照結果に基づく推薦度を記録するようにしても良い。
【００５９】
次に、推薦カード報知画面の第２の例を図６に示す。上述の第１の例は、管理サーバ１が管理している全てのＳＩＭカードの一覧において、それぞれの携帯電話端末２が使用できるＳＩＭカード情報を、推薦度などにより報知する例である。これに対して、第２の例は、当該時点で、それぞれの携帯電話端末２が使用可能（選択可能）なＳＩＭカード情報のみを報知する例である。
【００６０】
すなわち、図６の例は、図５の例において、推薦度が「×」であるＳＩＭカードの管理情報を削除したものに相当する。この第２の例の推薦カード報知画面は、当該時点において携帯電話端末２で使用可能である、選択対象のＳＩＭカード情報のみの一覧情報となり、使用者は、誤りなく、適切なＳＩＭカード情報の選択ができる。
【００６１】
なお、後述するように、カード管理テーブルの使用状況の情報は、携帯電話端末２からのＳＩＭカード情報の返却や、携帯電話端末２への新たな供与により変わり、カード管理テーブルの管理情報（使用状況）が更新される。推薦カード情報生成部１１１は、カード管理テーブルが更新される毎に、充電台３に接続されている携帯電話端末２のそれぞれに供給すべき推薦カード情報を更新する。そして、管理サーバ１は、生成した推薦カード情報を、充電台３に接続されているそれぞれの携帯電話端末２の全てに送信する。
【００６２】
なお、外部通信用送受信部１０６と、ＬＡＮ用送受信部１０７と、推薦カード情報生成部１１１は、ＣＰＵ１０１によるソフトウエア処理として構成することもできる。
【００６３】
［携帯電話端末２のハードウエア構成例］
携帯電話端末２１〜２ｎは、前述したように、種々の製造会社の種々の携帯電話端末であるので、全く同一の構成を有するわけではないが、携帯電話端末としての基本的な構成と、この実施形態で備えなければならない構成は、共通する。そこで、その共通する部分の構成を、携帯電話端末２の構成として以下に説明する。
【００６４】
図７は、この実施形態の携帯電話端末２のハードウエア構成例を示す図である。この実施形態の携帯電話端末２は、マイクロコンピュータを搭載して構成されており、システムバス２００に対して、ＣＰＵ２０１、ＲＯＭ２０２、ＲＡＭ２０３、電話通信部２０４、送受信信号処理部２０５、通話音声処理部２０６、ディスプレイインターフェース２０７、タッチパネルインターフェース２０８、表示情報生成部２０９、ＵＳＢコントローラ２１０、充電回路２１１、ＳＩＭカード情報メモリ２１２、のそれぞれと接続されている。
【００６５】
ＣＰＵ２０１は、ＲＯＭ２０２に記憶されているプログラムに従って、ＲＡＭ２０３をワークエリアとして用いることにより、携帯電話端末２が実行する、以下に説明するような種々の処理を、ソフトウエア処理として実行する。
【００６６】
電話通信部２０４は、携帯電話網の基地局を通じて相手と通信をするための無線通信部である。送受信信号処理部２０５は、ＣＰＵ２０１の制御の下、電話通信部２０４を通じて受信した通信情報を解析して、呼制御メッセージや通話信号をデコードし、システムバス２００に送出すると共に、電話通信部２０４を通じて送信する送信信号を生成する。
【００６７】
送受信信号処理部２０５は、また、ＣＰＵ２０１の制御の下、ＵＳＢコントローラ２１０を通じて送受される信号についての処理も実行する。送受信信号処理部２０５は、送信信号には、携帯電話端末の識別情報（端末ＩＤ）を含める。
【００６８】
通話音声処理部２０６は、ＣＰＵ２０１の制御の下、送受信信号処理部２０５からの受話音声情報を、デジタル信号からアナログ信号に変換し、アンプ２２１に供給する。アンプ２２１に供給された受話音声信号はスピーカ２２２に供給されて音響再生される。通話音声処理部２０６は、また、マイクロホン２２３で収音され、アンプ２２４で増幅された送話音声信号を、アナログ信号からデジタル信号に変換して、ＣＰＵ２０１の制御の下、送受信信号処理部２０５に供給する。
【００６９】
ディスプレイインターフェース２０７には、例えばＬＣＤ（Liquid  Crystal  Display）からなるディスプレイ２２５が接続される。ディスプレイ２２５の表示画面には、携帯電話の待ち受け画面などが表示されると共に、管理サーバ１から送られてくる推薦カード報知画面などが表示される。
【００７０】
なお、この実施形態では、ディスプレイ２２５の表示画面上には、タッチパネル２２６が設けられている。タッチパネル２２６は、タッチパネルインターフェース２０８に接続されている。タッチパネルインターフェース２０８は、タッチパネル２２６を通じた使用者による操作指示入力に応じた操作入力情報を、システムバス２００に送出する。
【００７１】
そして、この実施形態では、操作ボタンなどの操作入力は、このタッチパネル２２６を通じて行えるようにされており、ディスプレイ２２５の表示画面には、必要に応じて操作画面が表示される。この表示画面に表示されたアイコンなどに対して、使用者は、指でタッチ操作したり、指でスライドさせたりする所定の振る舞いをすることにより、所定の操作入力をすることができる。この実施形態では、ディスプレイ２２５の表示画面には、推薦カード報知画面と共に、ＳＩＭカード情報の取得要求のアイコンボタンが表示画面に表示され、使用者は、そのアイコンボタンを押下操作することにより、ＳＩＭカード情報の取得要求をすることができるように構成されている。また、推薦カード報知画面において、ＳＩＭカード情報の取得要求をしたいＳＩＭカードの欄を押下操作することにより、その欄のＳＩＭカードを選択することができる。
【００７２】
表示情報生成部２０９は、ＣＰＵ２０１の制御により、着信時の表示画面、発信時の表示画面、推薦カード報知画面、その他の表示画面の表示情報を生成して、ディスプレイインターフェース２０７を通じてディスプレイ２２５に供給する。
【００７３】
ＵＳＢコントローラ２１０は、ＵＳＢコネクタ２２７に接続され、ＵＳＢケーブル８を通じて充電台３との間で通信される情報信号の授受を行う。ＵＳＢコネクタ２２７にＵＳＢケーブル８を通じて充電台３が接続されると、ＵＳＢコントローラ２１０は、接続時の信号のやり取りをすることにより、当該携帯電話端末２が充電台３にＵＳＢ接続されたことを検知し、システムバス２００を通じてＣＰＵ２０１に通知する。
【００７４】
また、充電回路２１１がＵＳＢコネクタ２２７に接続されており、ＵＳＢケーブル８を通じて充電台３から送られてくる充電電流が、ＵＳＢコネクタ２２７を通じて充電回路２１１に供給される。そして、ＣＰＵ２０１は、ＵＳＢコントローラ２１０からの携帯電話端末２が充電台３に接続されたことの検知通知に基づいて、充電回路２１１を動作させて、バッテリー２２８の充電を実行するように制御する。
【００７５】
ＳＩＭカード情報メモリ２１２は、管理サーバ１から受信したＳＩＭカード情報を格納するメモリである。このＳＩＭカード情報メモリ２１２にＳＩＭカード情報が記憶されていない状態では、携帯電話端末２は、携帯電話通信をすることができない構成とされている。この実施形態の携帯電話端末２では、充電台３にＵＳＢ接続されている状態では、ＳＩＭカード情報メモリ２１２にＳＩＭカード情報が格納されて保持されても、このＳＩＭカード情報は使用可能とはならず、ＵＳＢ接続が解除された後にのみ、ＳＩＭカード情報を用いた携帯電話通信が可能となるように構成されている。
【００７６】
また、この実施形態では、携帯電話端末２が充電台３にＵＳＢ接続されると、ＣＰＵ２０１は、ＳＩＭカード情報メモリ２１２に記憶保持されているＳＩＭカード情報を読み出して、充電台３を通じて管理サーバ１に返却する。そして、ＣＰＵ２０１は、ＳＩＭカード情報の返却が終了すると、ＳＩＭカード情報メモリ２１２に記憶保持されているＳＩＭカード情報は消去する。これにより、携帯電話端末２は、携帯電話通信が不能となる。
【００７７】
なお、送受信信号処理部２０５と、表示情報生成部２０９は、ＣＰＵ２０１によるソフトウエア処理として構成することもできる。
【００７８】
［充電台３のハードウエア構成例］
充電台３１〜３ｎは、全く同一の構成を有するので、充電台３のハードウエア構成例として説明する。図８は、この実施形態の充電台３のハードウエア構成例を示す図である。この例の充電台３は、マイクロコンピュータを搭載して構成されており、システムバス３００に対して、ＣＰＵ３０１、ＲＯＭ３０２、ＲＡＭ３０３、ＬＡＮ用インターフェース３０４、送受信処理部３０５、ＵＳＢコントローラ３０６、充電電流供給部３０７、のそれぞれが接続されている。
【００７９】
ＣＰＵ３０１は、ＲＯＭ３０２に記憶されているプログラムに従って、ＲＡＭ３０３をワークエリアとして用いることにより、充電台３が実行する、後述するような種々の処理を、ソフトウエア処理として実行する。
【００８０】
ＬＡＮ用インターフェース３０４は、ＬＡＮケーブルを通じてＬＡＮスイッチ４に接続されている。
【００８１】
ＵＳＢコントローラ３０６は、ＵＳＢコネクタ３０８に接続され、ＵＳＢケーブル８を通じて携帯電話端末２との間で通信される情報信号の授受を行う。ＵＳＢコネクタ３０８にＵＳＢケーブル８を通じて携帯電話端末２が接続されると、ＵＳＢコントローラ３０６は、接続時の信号のやり取りをすることにより、当該携帯電話端末２が充電台３にＵＳＢ接続されたことを検知し、システムバス３００を通じてＣＰＵ３０１に通知する。
【００８２】
送受信処理部３０５は、ＣＰＵ３０１の制御の下、ＬＡＮ用インターフェース３０４を通じて管理サーバ１から受信したデータは、自充電台３の識別情報を付加した後、ＵＳＢコントローラ３０６を通じて、ＵＳＢ接続されている携帯電話端末２に転送する。送受信処理部３０５は、また、ＵＳＢコントローラ３０６を通じて携帯電話端末２から受信したデータは、自充電台３の充電台ＩＤを付加した後、ＬＡＮ用インターフェース３０４を通じて管理サーバ１に転送する。
【００８３】
充電電流供給部３０７はＵＳＢコネクタ３０８に接続されている。充電電流供給部３０７は、ＡＣコンセント３０９から送られてくる商用交流電圧から直流の充電電流を生成する。そして、充電電流供給部３０７は、ＵＳＢコントローラ３０６からの携帯電話端末２が充電台３に接続されたことの検知通知に基づくＣＰＵ３０１の制御により駆動状態に制御されて、充電電流を、ＵＳＢコネクタ３０８を通じて携帯電話端末２に供給するようにする。
【００８４】
［管理システムの動作シーケンス］
図９は、この実施形態の管理システムにおける動作シーケンスを説明するための図である。以下、この動作シーケンスについて説明する。
【００８５】
携帯電話端末２が充電台３とＵＳＢケーブル８で接続（以下、ＵＳＢ接続という）されると、充電台３は、このＵＳＢ接続を検知してＵＳＢケーブル８を通じて充電電流を携帯電話端末２に送る。一方、携帯電話端末２は、充電台３とのＵＳＢ接続を検出すると、充電台３からの充電電流により、内蔵バッテリーへの充電を開始する。
【００８６】
また、充電台３は、ＵＳＢ接続された携帯電話端末２に対して端末情報等の情報取得要求を送る。携帯電話端末２は、この情報取得要求に応じて、自端末の識別情報を含む端末情報（ＭＡＣアドレスや製造番号）と、そのときに使用していたＳＩＭカード情報からなる端末情報等を、充電台３に送るようにする。充電台３は、携帯電話端末２から受信した端末情報等に自装置の充電台ＩＤを付加した情報を、ＬＡＮ７を通じて管理サーバ１に転送する。
【００８７】
それまで使用していたＳＩＭカード情報を送出した携帯電話端末２は、携帯電話通信ができなくなる。つまり、携帯電話端末２は、充電台３と管理サーバ１からなる管理用装置に接続すると、当該管理用装置にＳＩＭカード情報を返却する。これにより、携帯電話端末２から送出されたＳＩＭカード情報は、他の携帯電話端末２に解放されることになる。
【００８８】
管理サーバ１は、端末管理テーブルに登録されている端末情報と、受信した端末情報を照合して、管理対象として登録されている携帯電話端末２であることを確認すると共に、受信した端末情報等に含まれる充電台ＩＤから、その携帯電話端末２がいずれの充電台３に接続されたかを識別し、その充電台ＩＤを、受信した端末情報で特定された携帯電話端末２について、端末管理テーブルに記憶する。そして、管理サーバ１は、カード管理テーブルにおいて、受信したＳＩＭカード情報に対応するＳＩＭカードの使用状況を、「使用中」から「未使用」に変更して更新する。さらに、管理サーバ１は、カード管理テーブルにおいて、その使用中であった携帯電話端末の情報の記録は消去する。
【００８９】
そして、管理サーバ１は、新たに充電台３に接続された携帯電話端末２からの端末情報により端末管理テーブルメモリ１１０の端末管理テーブルを参照すると共に、更新されたカード管理テーブルを参照して、当該新たに接続された携帯電話端末２用の推薦カード情報を生成する。そして、その生成した推薦カード情報を、新たに携帯電話端末２がＵＳＢ接続された充電台３に送信する。
【００９０】
また、管理サーバ１は、端末管理テーブルを参照して、充電台３に既に接続されている他の携帯電話端末２を判定し、判定したそれぞれの携帯電話端末２についての推薦カード情報を、更新されたカード管理テーブルの情報に基づき、更新する。そして、更新した推薦カード情報を、前記他の携帯電話端末２のそれぞれがＵＳＢ接続されている他の充電台３に送信する。
【００９１】
充電台３は、管理サーバ１から受信した推薦カード情報を、ＵＳＢケーブル８を通じて携帯電話端末２に転送する。携帯電話端末２は、受信した推薦カード情報に基づく推薦カード報知画面を生成して、そのディスプレイに表示し、使用者に、それぞれの携帯電話端末２で使用可能（選択可能）であるＳＩＭカードを報知する。
【００９２】
なお、図９では、図示を省略したが、管理サーバ１に接続されている充電台３に初めて接続された携帯電話端末２は、ＳＩＭカード情報は保持していないので、ＳＩＭカード情報の返却動作は行われない。そして、この実施形態では、管理サーバ１は、充電台３に初めて接続された携帯電話端末２からの端末情報を、端末管理テーブルに登録する。さらに、管理サーバ１は、ＭＡＣアドレスに含まれるカンパニーコードから、携帯電話端末２の製造会社を判断して、予め当該製造会社に対応して保持しているＵＲＬを利用して、当該製造会社の携帯電話端末についてＷｅｂページにアクセスする。そして、ＭＡＣアドレスおよび製造番号の情報から、当該携帯電話端末の機種コードを検索すると共に、検索した機種コードに基づいて、当該携帯電話端末２が使用可能なＳＩＭカードを検索する。そして、Ｗｅｂページのサーバからの検索結果である当該携帯電話端末の機種コードおよび使用可能なＳＩＭカードに関する情報を受信して、端末管理テーブルに登録しておくようにする。
【００９３】
次に、携帯電話端末２の使用者が、携帯電話端末２と充電台３とのＵＳＢ接続を解除して、携帯電話端末２の携帯電話通信を再度行いたいときには、使用者は、この例では、携帯電話端末２のディスプレイに表示されているＳＩＭカードの取得要求アイコンを押下させる操作をする。
【００９４】
すると、携帯電話端末２からは、充電台３に対してＳＩＭカード情報要求が送られる。このＳＩＭカード情報要求を受信すると、充電台３は、携帯電話端末２からのＳＩＭカードの選択情報を待つ状態になる。一方、携帯電話端末２では、表示されている推薦カード報知画面から、使用者による任意の一つのＳＩＭカードの選択操作を受け付ける。
【００９５】
携帯電話端末２の使用者は、ディスプレイに表示されている推薦カード報知画面から、推薦度やキャリアなどを参照してＳＩＭカードを選択する。すると、携帯電話端末２は、その選択されたＳＩＭカードの識別情報と自端末の端末ＩＤとを含めたＳＩＭカードの選択情報を充電台３に送信する。充電台３は、このＳＩＭカードの選択情報を受け取ると、このＳＩＭカードの選択情報と自装置の充電台ＩＤとを含めたＳＩＭカード使用許諾要求を生成して、管理サーバ１にＬＡＮ７を通じて送信する。
【００９６】
管理サーバは、受信したＳＩＭカード使用許諾要求に含まれる充電台ＩＤおよび携帯電話端末ＩＤを検出して、端末管理テーブルを参照し、管理状態にある携帯電話端末からの正当なＳＩＭカード使用許諾要求であるか否か判別する。また、管理サーバ１は、正当なＳＩＭカード使用許諾要求であると判別したときには、受信したＳＩＭカード使用許諾要求に含まれる携帯電話端末ＩＤにより端末管理テーブルを参照して、ＳＩＭカードの選択情報で要求されたＳＩＭカードは、当該携帯電話端末が使用可能であるか否か判別する。
【００９７】
そして、使用可能なＳＩＭカードであると判別したときには、管理サーバ１は、その使用状況が「未使用」であるか否かをカード管理テーブルにおいて確認し、「未使用」であることを確認すると、使用許諾できると判定をして、要求されたＳＩＭカード情報を、ＳＩＭカード許諾要求を送ってきた充電台３に送信する。充電台３は、管理サーバ１から受信したＳＩＭカード情報を、ＵＳＢケーブル８を通じて携帯電話端末２に転送する。なお、このとき、管理サーバ１は、要求されたＳＩＭカードが「使用中」であれば、使用許諾を拒否するのは勿論である。
【００９８】
携帯電話端末２は、ＳＩＭカード情報を受信すると、その受信したＳＩＭカード情報を、ＳＩＭカード情報メモリ２１２に書き込んで保持する。そして、携帯電話端末２は、ＳＩＭカード情報のＳＩＭカード情報メモリ２１２への書き込みが完了すると、その書き込み完了通知を充電台３に送る。充電台３は、この書き込み完了通知を、管理サーバ１に転送する。
【００９９】
ＳＩＭカード情報メモリ２１２にＳＩＭカード情報が書き込まれたことにより、携帯電話端末２は、携帯電話通信をすることが可能の状態になる。しかし、この実施形態では、携帯電話端末２は、充電台３とのＵＳＢ接続が継続しているときには、ＳＩＭカード情報メモリ２１２に書き込んだＳＩＭカード情報を用いた携帯電話通信は不可とされている。
【０１００】
一方、管理サーバ１は、ＳＩＭカード情報の書き込み完了通知を充電台３から受信すると、使用許諾をして送出したＳＩＭカードの使用状況を「使用待機」の状態に変更してカード管理テーブルを更新する。そして、管理サーバ１は、端末管理テーブルを参照して、充電台３に接続されている全ての携帯電話端末２を判定し、判定したそれぞれの携帯電話端末２についての推薦カード情報を、更新されたカード管理テーブルの情報に基づき、更新する。そして、更新した推薦カード情報を、前記他の携帯電話端末２のそれぞれに充電台３を介して送信する。
【０１０１】
そして、使用者が充電台３とのＵＳＢ接続を切断して、携帯電話端末２を取り出すと、携帯電話端末２は、メモリに書き込んだＳＩＭカード情報を用いた携帯電話通信機能を起動させる。
【０１０２】
充電台３は、この携帯電話端末２とのＵＳＢ接続の切断を検知すると、管理サーバ１に携帯電話端末の取出通知を送る。この携帯電話端末の取出通知には、充電台３の充電台ＩＤが含まれる。
【０１０３】
この携帯電話端末の取出通知を受信した管理サーバ１は、この取出通知に含まれる充電台ＩＤにより端末管理テーブルを参照し、ＵＳＢ接続が解除された携帯電話端末２を識別する。そして、識別された携帯電話端末２に供与したＳＩＭカードの使用状況を、「使用待機」から「使用中」に変更してカード管理テーブルを更新する。そして、管理サーバ１は、端末管理テーブルを参照して、充電台３に接続されている全ての携帯電話端末２を判定し、判定したそれぞれの携帯電話端末２についての推薦カード情報を、更新されたカード管理テーブルの情報に基づき、更新する。そして、更新した推薦カード情報を、前記他の携帯電話端末２のそれぞれに充電台３を介して送信する。そして、管理サーバ１は、端末管理テーブルにおいて、ＵＳＢ接続が解除された携帯電話端末２についての充電台ＩＤの記録を削除する。
【０１０４】
次に、上記の図９の例のシーケンスを実行する管理サーバ１、携帯電話端末２、充電台３の各部における処理動作の例を説明する。
【０１０５】
［管理サーバ１の処理動作］
図１０および図１１は、この実施形態における管理サーバ１の処理動作の例を説明するためのフローチャートである。このフローチャートの各ステップは、主として、管理サーバ１のＣＰＵ１０１が、ＲＯＭ１０２のプログラムにしたがって、ＲＡＭ１０３をワークエリアとして用いて実行する。
【０１０６】
ＣＰＵ１０１は、ＬＡＮ用インターフェース１０５を通じていずれかの充電台３から端末情報等を受信したか否か判別する（ステップＳ１０１）。このステップＳ１０１で、充電台３からの端末情報等を受信したと判別したときには、ＣＰＵ１０１は、受信情報に含まれる充電台ＩＤおよび端末ＩＤから、端末情報等を送信してきた充電台３および携帯電話端末２を識別する（ステップＳ１０２）。そして、ＣＰＵ１０１は、端末管理テーブルを参照して、端末情報等を送信してきた携帯電話端末２は登録済みであるか否か判別する（ステップＳ１０３）。
【０１０７】
このステップＳ１０３で、登録済みではないと判別したときには、ＣＰＵ１０１は、受信した端末情報等からその携帯電話端末２のＭＡＣアドレス（端末ＩＤ）を抽出して、端末管理テーブルに登録する。そして、ＣＰＵ１０１は、ＭＡＣアドレスに含まれるカンパニーコードから、携帯電話端末２の製造会社を判断して、当該製造会社の携帯電話端末についてＷｅｂページにアクセスし、当該Ｗｅｂページのサーバから、当該携帯電話端末の機種コードと、当該携帯電話端末２が使用可能なＳＩＭカードに関する情報を受信する。そして、ＣＰＵ１０１は、複数個のＳＩＭカード装填部６に装填されているＳＩＭカードのうち、当該携帯電話端末２が使用可能なＳＩＭカードの情報を端末管理テーブルに登録する。さらに、ＣＰＵ１０１は、当該携帯電話端末２が接続された充電台３の充電台ＩＤを、当該携帯電話端末２に関連付けて端末管理テーブルに書き込んでおく（ステップＳ１０４）。なお、このときには、充電台３から受信した端末情報等には、管理サーバ１に返却されるＳＩＭカード情報は含まれていない。そのため、カード管理テーブルは更新されず、その表示用情報の充電台３への送信もなされない。
【０１０８】
ステップＳ１０４の次には、ＣＰＵ１０１は、充電台３に接続された携帯電話端末２からの端末情報により、端末管理テーブルを参照して、当該携帯電話端末で使用可能なＳＩＭカードを報知するための推薦カード情報を生成して、その推薦カード情報を、端末情報等を送ってきた充電台３を通じて携帯電話端末２にのみ送信する（ステップＳ１０６）。
【０１０９】
また、ステップＳ１０３で、充電台３に接続された携帯電話端末２は端末管理テーブルに登録済みである判別したときには、受信した端末情報等に含まれるＳＩＭカード情報の返却を受け付けて、カード管理テーブルの当該ＳＩＭカードの使用状況を「使用中」から「未使用」に変更して、カード管理テーブルの情報を更新する（ステップＳ１０５）。
【０１１０】
このステップＳ１０５の次には、ＣＰＵ１０１は、ステップＳ１０６に進んで、推薦カード情報を生成して、端末情報等を送ってきた充電台３を通じて携帯電話端末２に送信すると共に、他の充電台３に接続されている携帯電話端末２に供給する推薦カード情報を、更新したカード管理テーブルの情報に基づいて更新し、それらの携帯電話端末２に送信する。
【０１１１】
ステップＳ１０６の次には、ＣＰＵ１０１は、いずれかの充電台３から、ＳＩＭカードの使用許諾要求を受信したか否か判別する（ステップＳ１０７）。また、ステップＳ１０１で、充電台３からの端末情報等を受信してはいないと判別したときにも、ＣＰＵ１０１は、処理をこのステップＳ１０７に進め、いずれかの充電台３から、ＳＩＭカードの使用許諾要求を受信したか否か判別する。
【０１１２】
ステップＳ１０７で、いずれかの充電台３から、ＳＩＭカードの使用許諾要求を受信したと判別したときには、ＣＰＵ１０１は、受信したＳＩＭカードの使用許諾要求に含まれる充電台ＩＤおよび端末ＩＤから、当該使用許諾要求を送信してきた充電台３および携帯電話端末２を識別する（ステップＳ１０８）。
【０１１３】
次に、ＣＰＵ１０１は、ＳＩＭカード管理テーブルを参照して、要求されたＳＩＭカードが使用中であるか否かにより使用許諾可能であるか否か判別する。また、端末管理テーブルを参照して、要求されたＳＩＭカードが、ＳＩＭカードの使用許諾要求をしてきた携帯電話端末で使用可能であるか否かにより使用許諾可能であるか否か判別する（図１１のステップＳ１１１）。
【０１１４】
ステップＳ１１１で、ＳＩＭカード管理テーブルの参照に基づく判別または端末管理テーブルの参照に基づく判別のいずれかにより、使用許諾できないと判別したときには、ＣＰＵ１０１は、ＳＩＭカード使用許諾不可通知を、使用許諾要求をしてきた充電台３を通じて携帯電話端末２に送信する（ステップＳ１１２）。そして、ＣＰＵ１０１は、処理をステップＳ１０７に戻し、このステップＳ１０７以降の処理を繰り返す。
【０１１５】
また、ステップＳ１１１で、ＳＩＭカード管理テーブルの参照に基づく判別および端末管理テーブルの参照に基づく判別の両方の判別の結果、使用許諾できると判別したときには、ＣＰＵ１０１は、使用許諾要求において選択指定されたＳＩＭカードから、そのＳＩＭカード情報を読み出して、使用許諾要求をしてきた携帯電話端末２に充電台３を通じて送信する（ステップＳ１１３）。
【０１１６】
次に、ＣＰＵ１０１は、充電台３から、携帯電話端末２よりの書き込み完了通知を受信したか否か判別し（ステップＳ１１４）、書き込み完了通知を受信してはいないと判別したときには、再送要求を受信したか否か判別する（ステップＳ１１５）。このステップＳ１１５で、再送要求を受信してはいないと判別したときには、ＣＰＵ１０１は、処理をステップＳ１１４に戻す。また、ステップＳ１１５で、再送要求を受信したと判別したときには、ＣＰＵ１０１は、処理をステップＳ１１３に戻し、再度、選択指定されたＳＩＭカード情報を、ＳＩＭカード情報を要求してきた充電台３に送信する。以上の再送要求野処理は、携帯電話端末２で、受信したＳＩＭカード情報の書き込みを失敗したときのための処理である。
【０１１７】
そして、ステップＳ１１４で、充電台３から書き込み完了通知を受信したと判別したときには、ＣＰＵ１０１は、カード管理テーブルにおいて、使用許諾許可したＳＩＭカードの使用状況を「未使用」から「使用待機中」に変更すると共に、使用待機中の携帯電話端末の端末情報を登録して、カード管理テーブルの情報を更新する。さらに、ＣＰＵ１０１は、更新したカード管理テーブルの情報に基づいて、充電台３に接続されている携帯電話端末のそれぞれに供給する推薦カード情報を再生成して更新し、その更新した推薦カード情報を、充電台３にＵＳＢ接続されている携帯電話端末２のそれぞれに送信する（ステップＳ１１６）。
【０１１８】
次に、ＣＰＵ１０１は、いずれかの充電台３から、携帯電話端末２の取出通知を受信したか否か判別する（ステップＳ１１７）。このステップＳ１１７で、携帯電話端末２の取出通知を受信してはいないと判別したときには、ＣＰＵ１０１は、その他の処理を実行し（ステップＳ１１８）、当該他の処理を終了したらステップＳ１０１に戻る。
【０１１９】
また、ステップＳ１１７で、携帯電話端末２の取出通知を受信したと判別したときには、ＣＰＵ１０１は、受信した携帯電話端末２の取出通知に含まれる充電台ＩＤから、当該取出通知を送信してきた充電台３を識別する。そして、識別した充電台３の充電台ＩＤにより端末管理テーブルを参照することで、当該充電台３とのＵＳＢ接続を解除した携帯電話端末２を識別する（ステップＳ１１９）。
【０１２０】
次に、ＣＰＵ１０１は、カード管理テーブルにおいて、充電台３とのＵＳＢ接続を解除した携帯電話端末２に使用許諾許可したＳＩＭカードの使用状況を「使用待機」から「使用中」に変更して、カード管理テーブルの情報を更新する。そして、ＣＰＵ１０１は、更新したカード管理テーブルの情報に基づいて、充電台３に接続されている携帯電話端末のそれぞれに供給する推薦カード情報を再生成して更新し、その更新した推薦カード情報を、充電台３にＵＳＢ接続されている携帯電話端末２のそれぞれに送信する。さらに、ＣＰＵ１０１は、端末管理テーブルにおいて、ステップＳ１１９で識別した携帯電話端末２についての充電台の記録を消去して、この端末管理テーブルの更新を行う（ステップＳ１２０）。その後、ＣＰＵ１０１は、処理をステップＳ１０１に戻す。
【０１２１】
また、ステップＳ１０７で、ＳＩＭカードの使用許諾要求を受信してはいないと判別したときにも、ＣＰＵ１０１は、ステップＳ１１７に進み、携帯電話端末２の取出通知を受信したか否か判別する。そして、ステップＳ１１７で、携帯電話端末２の取出通知を受信したと判別したときには、ＣＰＵ１０１は、ステップＳ１１９において、前述したようにして、当該取出通知を送信してきた充電台３および携帯電話端末２を識別し、ステップＳ１２０での処理を実行する。
【０１２２】
ところで、このステップＳ１０７からステップＳ１１７への移行時は、携帯電話端末２が、ＳＩＭカードの使用許諾要求をせずに、ＵＳＢ接続を解除した場合である。このためステップＳ１１９で識別した携帯電話端末２について「使用待機」となっているＳＩＭカードは存在しないので、ＣＰＵ１０１は、ステップＳ１２０では、カード管理テーブルは更新せず、また、推薦カード情報の再生成およびその推薦カード情報の充電台３に接続されている携帯電話端末２への送信処理も行わない。そして、ＣＰＵ１０１は、端末管理テーブルにおいて、ステップＳ１１９で識別した携帯電話端末２についての充電台の記録を消去して、この端末管理テーブルの更新のみを行う。
【０１２３】
なお、ＳＩＭカードの使用許諾要求をせずに、ＵＳＢ接続を解除した携帯電話端末２は、再度、いずれかの充電台３にＵＳＢ接続してＳＩＭカードの使用許諾要求をすれば、管理サーバ１からＳＩＭカード情報を取得して、携帯電話通信機能を用いることができる。
【０１２４】
［携帯電話端末２の処理動作］
図１２〜図１４は、この実施形態における携帯電話端末２の処理動作の例を説明するためのフローチャートである。このフローチャートの各ステップは、主として、携帯電話端末２のＣＰＵ２０１が、ＲＯＭ２０２のプログラムにしたがって、ＲＡＭ２０３をワークエリアとして用いて実行する。
【０１２５】
携帯電話端末２のＣＰＵ２０１は、ＵＳＢコントローラ２１０の出力を監視してＵＳＢ接続されたか否か判別し（ステップＳ２０１）、ＵＳＢ接続されていないと判別したときには、その他の処理を実行する（ステップＳ２０２）。
【０１２６】
ステップＳ２０１は、ＵＳＢ接続されたと判別したときには、ＣＰＵ２０１は、ＵＳＢ接続の相手機器は充電台３であるか否か判別し（ステップＳ２０３）、相手機器が充電台３ではないと判別したときには、相手機器に応じた処理を実行する（ステップＳ２０４）。また、ステップＳ２０３で、相手機器が充電台３であると判別したときには、ＣＰＵ２０１は、充電回路２１１を制御してバッテリー２２８への充電を開始する（ステップＳ２０５）。
【０１２７】
次に、ＣＰＵ２０１は、充電台３から情報取得要求を受信したか否か判別し（ステップＳ２０６）、情報取得要求を受信してはいないと判別したときには、充電回路２１１によるバッテリー２２８への充電のみを継続し、処理をステップＳ２０６に戻す。
【０１２８】
ステップＳ２０６で、充電台３から情報取得要求を受信したと判別したときには、ＣＰＵ２０１は、ＳＩＭカード情報メモリ２１２にＳＩＭカード情報が記憶されているか否か判別する（ステップＳ２０８）。このステップＳ２０８で、ＳＩＭカード情報が記憶されていると判別したときには、ＣＰＵ２０１は、自端末のＭＡＣアドレスや製造番号などからなる端末情報と、ＳＩＭカード情報メモリ２１２から読み出したＳＩＭカード情報とを含む端末情報等を充電台３にＵＳＢコントローラ２１０を通じて送出する（ステップＳ２０９）。そして、ＣＰＵ２０１は、ＳＩＭカード情報メモリ２１２に記憶されているＳＩＭカード情報を消去して、電話通信部２０４を通じた携帯電話通信は停止状態とする（ステップＳ２１０）。
【０１２９】
ステップＳ２０８で、ＳＩＭカード情報は記憶されていないと判別したときには、ＣＰＵ２０１は、自端末のＭＡＣアドレスや製造番号からなる端末情報のみを充電台３に送信する（ステップＳ２１１）。
【０１３０】
ステップＳ２１０またはステップＳ２１１の次には、ＣＰＵ２０１は、充電台３からの、管理サーバ１よりの推薦カード情報の受信を待つ（ステップＳ２１２）。そして、ステップＳ２１２で、推薦カード情報を受信したと判別したときには、受信した推薦カード情報に基づき、推薦カード報知画面をディスプレイ２２５に表示して、当該携帯電話端末２で使用可能なＳＩＭカードを使用者に報知する（ステップＳ２１３）。
【０１３１】
次に、ＣＰＵ２０１は、タッチパネルインターフェース２０８からの操作入力情報を監視して、使用者によりＳＩＭカード情報の取得要求操作がなされたか否か判別する（図１３のステップＳ２２１）。ステップＳ２２１で、ＳＩＭカード情報の取得要求操作がなされていないと判別したときには、ＣＰＵ２０１は、充電台３とのＵＳＢ接続が解除されたか否か判別し（ステップＳ２２２）、ＵＳＢ接続が解除されていないと判別したときには、処理をステップＳ２２１に戻す。
【０１３２】
ステップＳ２２２で、ＵＳＢ接続が解除されたと判別したときには、ＣＰＵ２０１は、処理をステップＳ２０１に戻し、このステップＳ２０１以降の処理を繰り返す。このとき、ＳＩＭカード情報メモリ２１２にはＳＩＭカード情報が記憶されていないので、携帯電話端末２は、携帯電話通信はできない。携帯電話通信をしたいときには、充電台３と再度ＵＳＢ接続し、以下に説明するようにして、ＳＩＭカード情報の取得要求をすればよい。
【０１３３】
ステップＳ２２１で、ＳＩＭカード情報の取得要求操作がなされたと判別したときには、ＳＩＭカード情報要求を充電台３に送信する（ステップＳ２２３）。
【０１３４】
次に、ＣＰＵ２０１は、ＳＩＭカード情報の取得要求操作の検知に基づいて、ディスプレイ２２５の推薦カード報知画面を、任意の一つのＳＩＭカードを選択することができる状態にして、使用者からのＳＩＭカードの選択指定操作を受付可能にし、その選択指定操作の入力を待つ（ステップＳ２２４）。
【０１３５】
ステップＳ２２４で、ＳＩＭカードの選択指定操作を受け付けたと判別すると、ＣＰＵ２０１は、当該選択指定操作で選択されたＳＩＭカードの識別情報を含むＳＩＭカードの選択情報を充電台３に送信する（ステップＳ２２５）。
【０１３６】
次に、ＣＰＵ２０１は、充電台３から、管理サーバ１よりの使用許諾不可を受信したか否か判別する（ステップＳ２２６）。このステップＳ２２６で、管理サーバ１よりの使用許諾不可を受信したと判別したときには、ＣＰＵ２０１は、使用許諾不可であるためＳＩＭカードの再選択を促すメッセージをディスプレイ２２５に表示し（ステップＳ２２７）、その後、処理をステップＳ２２４に戻し、別のＳＩＭカードの選択指定を受け付けるようにする。
【０１３７】
ステップＳ２２６で、管理サーバ１よりの使用許諾不可を受信してはいないと判別したときには、ＣＰＵ２０１は、充電台３から、管理サーバ１よりのＳＩＭカード情報を受信したか否か判別する（ステップＳ２２８）。このステップＳ２２８で、管理サーバ１よりのＳＩＭカード情報を受信してはいないと判別したときには、ＣＰＵ２０１は、処理をステップＳ２２６に戻し、このステップＳ２２６以降の処理を繰り返す。
【０１３８】
ステップＳ２２８で、管理サーバ１よりのＳＩＭカード情報を受信したと判別したときには、ＣＰＵ２０１は、受信したＳＩＭカード情報を、ＳＩＭカード情報メモリ２１２に書き込む（ステップＳ２２９）。そして、ＣＰＵ２０１は、ＳＩＭカード情報の書き込みが成功したか否か判別し（図１４のステップＳ２３１）、成功しなかったと判別したときには、充電台３を通じて管理サーバ１に再送要求を送る（ステップＳ２３２）。そして、ＣＰＵ２０１は、充電台３から送られてくるＳＩＭカード情報の受信を待ち（ステップＳ２３３）、ＳＩＭカード情報の受信を確認すると、処理をステップＳ２２９に戻す。
【０１３９】
また、ステップＳ２３１で、ＳＩＭカード情報の書き込みが成功したと判別したときには、ＣＰＵ２０１は、ＳＩＭカード情報の書き込み完了通知を、充電台３に送信する（ステップＳ２３４）。
【０１４０】
そして、ＣＰＵ２０１は、充電台３とのＵＳＢ接続が解除されたか否か判別し（ステップＳ２３５）、ＵＳＢ接続が解除されていないと判別したときには、ディスプレイ２２５にＵＳＢ接続解除を促す表示を行い（ステップＳ２３６）、処理をステップＳ２３５に戻す。
【０１４１】
ステップＳ２３５で、ＵＳＢ接続が解除されたと判別したときには、ＣＰＵ２０１は、ＳＩＭカード情報メモリ２１２に書き込まれたＳＩＭカード情報を用いた携帯電話通信を可能にする（ステップＳ２３７）。そして、その後、処理をステップＳ２０１に戻し、このステップＳ２０１以降の処理を繰り返す。
【０１４２】
［充電台３の処理動作］
図１５〜図１７は、この実施形態における充電台３の処理動作の例を説明するためのフローチャートである。このフローチャートの各ステップは、主として、ＣＰＵ３０１が、ＲＯＭ３０２のプログラムにしたがって、ＲＡＭ３０３をワークエリアとして用いて実行する。
【０１４３】
ＣＰＵ３０１は、ＵＳＢコントローラ３０６の出力を監視してＵＳＢ接続されたか否か判別し（ステップＳ３０１）、ＵＳＢ接続されていないと判別したときには、充電台３の非動作状態を継続する（ステップＳ３０２）。ステップＳ３０１で、ＵＳＢ接続されたと判別したときには、ＣＰＵ３０１は、ＵＳＢ接続の相手機器は携帯電話端末２であるか否か判別する（ステップＳ３０３）。そして、相手機器が携帯電話端末２ではないと判別したときには、ステップＳ３０２に進んで、非動作状態を継続する。
【０１４４】
また、ステップＳ３０３で、ＵＳＢ接続の相手機器は携帯電話端末２であると判別したときには、ＣＰＵ３０１は、充電電流供給部３０７を起動させて、ＵＳＢコネクタ３０８を通じて、携帯電話端末２への充電電流の供給を開始する（ステップＳ３０４）。そして、ＣＰＵ３０１は、ＵＳＢ接続された携帯電話端末２に情報取得要求を送り（ステップＳ３０５）、携帯電話端末２からの端末情報等の受信を待つ（ステップＳ３０６）。
【０１４５】
ステップＳ３０６で、携帯電話端末２からの端末情報等の受信を判別すると、ＣＰＵ３０１は、受信した端末情報等に自装置の充電台ＩＤを付加して、管理サーバ１に、ＬＡＮ７を通じて送信する（ステップＳ３０７）。
【０１４６】
そして、ＣＰＵ３０１は、ＬＡＮ用インターフェース３０４の受信情報を監視して、管理サーバ１からの推薦カード情報の受信を待ち（ステップＳ３０８）、推薦カード情報の受信を判別すると、それをＵＳＢ接続されている携帯電話端末２に転送する（ステップＳ３０９）。
【０１４７】
次に、ＣＰＵ３０１は、携帯電話端末２からＳＩＭカード情報要求を受信したか否か判別し（図１６のステップＳ３１１）、ＳＩＭカード情報要求を受信してはいないと判別したときには、ＵＳＢ接続が解除されたか否か判別する（ステップＳ３１２）。このステップＳ３１２で、ＵＳＢ接続が解除されたと判別したときには、自装置の充電台ＩＤを含めた携帯電話端末の取出通知を、ＬＡＮ用インターフェース３０４を通じて管理サーバ１に送信する（ステップＳ３１３）。そして、ＣＰＵ３０１は、処理をステップＳ３０１に戻し、このステップＳ３０１以降の処理を繰り返す。
【０１４８】
また、ステップＳ３１１で、携帯電話端末２からＳＩＭカード情報要求を受信したと判別したときには、ＣＰＵ３０１は、携帯電話端末２からのＳＩＭカードの選択情報の受信を待つ（ステップＳ３１４）。このステップＳ３１４で、携帯電話端末２からのＳＩＭカードの選択情報を受信したと判別したときには、ＣＰＵ３０１は、携帯電話端末２からのＳＩＭカードの選択情報に、自装置の充電台ＩＤを含めたＳＩＭカード使用許諾要求を、ＬＡＮ用インターフェース３０４を通じて管理サーバ１に送信する（ステップＳ３１５）。
【０１４９】
次に、ＣＰＵ３０１は、ＬＡＮ用インターフェース３０４を通じて管理サーバ１からＳＩＭカード使用許諾不可通知を受信したか否か判別する（ステップＳ３１６）。このステップＳ３１６で、ＳＩＭカード使用許諾不可通知を受信したと判別したときには、当該ＳＩＭカード使用許諾不可通知を携帯電話端末２に転送し（ステップＳ３１７）、その後、処理をステップＳ３１４に戻す。
【０１５０】
また、ステップＳ３１６で、ＳＩＭカード使用許諾不可通知を受信してはいないと判別したときには、ＣＰＵ３０１は、管理サーバ１からＳＩＭカード情報を受信したか否か判別する（ステップＳ３１８）。このステップＳ３１８で、管理サーバ１からＳＩＭカード情報を受信してはいないと判別したときには、ＣＰＵ３０１は、処理をステップＳ３１６に戻し、このステップＳ３１６以降の処理を繰り返す。
【０１５１】
ステップＳ３１８で、管理サーバ１からＳＩＭカード情報を受信したと判別したときには、そのＳＩＭカード情報を、携帯電話端末２に転送する（図１７のステップＳ３２１）。
【０１５２】
次に、ＣＰＵ３０１は、携帯電話端末２から書き込み完了通知を受信したか否か判別し（ステップＳ３２２）、受信してはいないと判別したときには、携帯電話端末２から再送要求を受信したか否か判別する（ステップＳ３２３）。このステップＳ３２３で、再送要求を受信してはいないと判別したときには、ＣＰＵ３０１は、処理をステップＳ３２２に戻す。また、ステップＳ３２３で、再送要求を受信したと判別したときには、ＣＰＵ３０１は、当該再送要求に自装置の充電台ＩＤを付加して管理サーバ１に転送し（ステップＳ３２４）、その後、処理をステップＳ３１６に戻し、このステップＳ３１６以降の処理を繰り返す。
【０１５３】
ステップＳ３２２で、携帯電話端末２から書き込み完了通知を受信したと判別したときには、ＣＰＵ３０１は、当該書き込み完了通知に自装置の充電台ＩＤを付加して管理サーバ１に転送する（ステップＳ３２５）。
【０１５４】
次に、ＣＰＵ３０１は、携帯電話端末２とのＵＳＢ接続が解除されるのを待つ（ステップＳ３２６）。このステップＳ３２６で、ＵＳＢ接続が解除されたと判別したときには、ＣＰＵ３０１は、自装置の充電台ＩＤを含めた携帯電話端末の取出通知を、ＬＡＮ用インターフェース３０４を通じて管理サーバ１に送信する（ステップＳ３２７）。そして、ＣＰＵ３０１は、処理をステップＳ３０１に戻し、このステップＳ３０１以降の処理を繰り返す。
【０１５５】
［第１の実施形態の効果］
上述した第１の実施形態によれば、使用者は、ＳＩＭカードを携帯電話端末に装填するのではなく、管理サーバに接続されている充電台に接続して、使用可能なＳＩＭカードの中の一つを選択することで、ＳＩＭカード情報を取得し、充電台との接続を解除した後には、当該ＳＩＭカード情報を用いた携帯電話端末として使用することが可能である。したがって、携帯電話端末の使用者は、ＳＩＭカードの交換という面倒な操作をすることなく、複数個のＳＩＭカードの中から選択した一つのＳＩＭカードの情報に、当該携帯電話端末のＳＩＭカード情報を簡単に交換することが可能である。
【０１５６】
また、第１の実施形態によれば、使用者は、管理サーバ１からの推薦カード情報に基づく推薦カード報知画面から任意のＳＩＭカード情報を選択することができ、自分が使用しようとする携帯電話端末のキャリアや使用場所などに適したＳＩＭカードを、推薦カード報知画面から容易に選択することができる。
【０１５７】
また、上述の第１の実施形態では、充電台３に接続すると、携帯電話端末２は、自動的にＳＩＭカード情報をサーバに返却して、そのＳＩＭカード情報が他の携帯電話端末に解放されるようにした。このため、使用者は、ＳＩＭカード情報を返却する操作をする必要がないという効果が得られると共に、ＳＩＭカード情報の返却のし忘れなどを防ぐことができ、常に、複数個のＳＩＭカードのＳＩＭカード情報を有効に活用することができる。
【０１５８】
もっとも、ＳＩＭカード情報の返却は、自動的ではなく、例えば、携帯電話端末２または充電台３に、識別用情報の返却用ボタンを設け、使用者がその返却用ボタンを操作したときにのみ、実行するようにしても良い。そのようにすれば、携帯電話端末２では、現在使用中のＳＩＭカード情報を継続しながら、バッテリーの充電のみを行うことができる。
【０１５９】
そして、返却用ボタンを設ける場合には、携帯電話端末２を充電台３と接続した後、一度、管理サーバ１から取得したＳＩＭカード情報を、その返却用ボタンを操作することにより、管理サーバに返却して、その後、ＳＩＭカード情報の取得要求ボタンを操作することにより、別の識別用情報を取得するようにすることができる。
【０１６０】
また、充電台３との接続時にＳＩＭカード情報を自動的に返却する場合においても、当該自動返却を拒否して、現在「使用中」のＳＩＭカード情報を継続して使用しながら、充電のみを実行するようにするために、自動返却拒否ボタンを充電台３に設けたり、携帯電話端末２で特定の操作をすることにより携帯電話端末２からその旨の通知を送ったりするようにしても良い。つまり、携帯電話端末２を充電台３に接続する前に、充電台の自動返却拒否ボタンを操作したり、携帯電話端末２の表示画面の自動返却拒否ボタン（アイコン）を操作したりしておき、その状態で、携帯電話端末を充電台に接続するようにしても良い。
【０１６１】
また、上述の第１の実施形態では、充電台３から携帯電話端末２のＵＳＢ接続を解除したときにのみ、携帯電話端末２は、ＳＩＭカード情報を用いた携帯電話通信が可能となるように構成した。この構成により、次のような利点がある。すなわち、管理サーバ１が電話システムの主装置やＳＩＰサーバの機能を有する場合、充電台３に接続された携帯電話端末２は、内線電話機として使用することができる。その場合、携帯電話端末２が充電台３に接続されたときに、主装置に内線番号登録をする必要があるが、その内線番号登録は、携帯電話端末２から行っても良いし、充電台３から行うようにしても良い。
【０１６２】
なお、携帯電話端末２は、充電台３とＵＳＢ接続されている状態でも、ＳＩＭカード情報を取得した後には、携帯電話通信を可能とするように構成しても良い。
【０１６３】
［第２の実施形態］
上述の第１の実施形態では、携帯電話端末にＳＩＭカードを装填するのではなく、携帯電話端末２は、内蔵するＳＩＭカード情報メモリに、管理サーバ１から供与されたＳＩＭカード情報を記憶することで携帯電話通信が可能となるタイプのものを用いた。
【０１６４】
しかし、この発明は、このような携帯電話端末ではなく、ＳＩＭカードを装填して携帯電話通信を可能とするタイプの携帯電話端末についても適用できる。
【０１６５】
図１８は、ＳＩＭカードを装填して携帯電話通信を可能とするタイプの携帯電話端末２０１〜２０ｎについての識別用情報の管理システムの例である。この第２の実施形態でも、識別用情報は、第１の実施形態と同様にＳＩＭカード５１〜５ｍが用いられる。図１８と図１とを比較すると明らかなように、基本的なシステム構成は、この第２の実施形態においても、第１の実施形態と全く同様であり、図１８において、第１の実施形態と同一部分には、同一参照番号を付して示している。
【０１６６】
この第２の実施形態の管理サーバ１０は、第１の実施形態の管理サーバ１と同様に、ＳＩＭカード装填部６１〜６ｍを備えると共に、図２と同様のハードウエア構成を備える。ただし、管理サーバ１０は、ＳＩＭカード情報をＳＩＭカードから読み出して携帯電話端末２０１〜２０ｎに供与する機能は有しない。
【０１６７】
また、この第２の実施形態では、図１８に示すように、管理サーバ１０には、ＳＩＭカード装填部６１〜６ｍのそれぞれの近傍に、例えばＬＥＤからなる発光表示部１１１〜１１ｍが対応して設けられる。この発光表示部１１１〜１１ｍは、充電台３にＵＳＢ接続された携帯電話端末２０から使用許諾要求されて管理サーバ１０が許可したＳＩＭカードが装填されているＳＩＭカード装填部６に対応するものが、例えば点滅表示される。
【０１６８】
そして、この第２の実施形態では、ＳＩＭカード５１〜５ｍのそれぞれは、ＳＩＭカード装填部６１〜６ｍのいずれかに任意に装填可能であり、携帯電話通信に使用する際には、ＳＩＭカード装填部６１〜６ｍから外されて携帯電話端末２０（携帯電話端末２０１〜２０ｎのいずれか）に装填され、さらに、使用を終了したＳＩＭカードは、携帯電話端末２０から外されて、ＳＩＭカード装填部６１〜６ｍのいずれかに再装填される。
【０１６９】
したがって、この第２の実施形態では、管理サーバ１０は、ＳＩＭカード装填部６１〜６ｍのそれぞれに対するＳＩＭカード５１〜５ｍの装填を常に監視し、その監視結果をカード管理テーブルに登録して、ＳＩＭカード装填部６１〜６ｍに対応するＳＩＭカード番号とカードＩＤとの対応関係を管理する。図１９に、第２の実施形態におけるカード管理テーブルの例を示す。第２の実施形態では、ＳＩＭカード５が使用中であるときには、ＳＩＭカード装填部６からその使用中のＳＩＭカード５は取り外されているので、カード管理テーブルの使用状況では、「空き」としている。
【０１７０】
管理サーバ１０は、ＳＩＭカード装填部６１〜６ｍのいずれかについて、ＳＩＭカード５の脱着がなされる毎に、カード管理テーブルを更新する。
【０１７１】
管理サーバ１０のその他のハードウエア構成は、図１に示した第１の実施形態の管理サーバ１と同様である。
【０１７２】
携帯電話端末２０１〜２０ｎのそれぞれは、図７の携帯電話端末２のハードウエア構成において、ＳＩＭカード情報メモリ２１２の代わりに、ＳＩＭカードの装填を受けるＳＩＭカード用のコネクタを備える構成となる。そして、携帯電話端末２０１〜２０ｎのそれぞれは、当該コネクタにＳＩＭカードが接続されたことを検知すると、携帯電話通信が可能となる。
【０１７３】
携帯電話端末２０１〜２０ｎのその他のハードウエア構成は、図７に示した第１の実施形態の携帯電話端末２１〜２ｎと同様である。
【０１７４】
図２０は、この第２の実施形態の管理システムにおける動作シーケンスを説明するための図である。この図２０の動作シーケンスについて、図９の第１の実施形態における動作シーケンスとの違いを中心に説明する。
【０１７５】
この第２の実施形態においては、携帯電話端末２０の使用者は、充電台３にＵＳＢ接続する際に、ＳＩＭカード５を交換する場合には、携帯電話端末２０から取り出しておく。なお、ＳＩＭカード５を継続して使用する場合には、そのＳＩＭカード５を携帯電話端末２０に装着したままの状態としても良い。
【０１７６】
携帯電話端末２０を充電台３とＵＳＢ接続すると、充電台３からの情報取得要求に応じて携帯電話端末２０は、端末情報を、充電台３を通じて管理サーバ１０に送る。ここで、充電台３からの情報取得要求に応じて携帯電話端末２０が送出するのは、端末情報のみであって、ＳＩＭカード情報が含まれないのは言うまでもない。
【０１７７】
ここで、ＳＩＭカードを装着したままで充電台３にＵＳＢ接続された携帯電話端末である場合には、そのＳＩＭカードによる携帯電話通信は、当該ＵＳＢ接続の検知に基づいて停止するようにしてもよいし、継続して可能にするようにしてもよい。管理サーバ１０が電話システムの主装置やＳＩＰサーバの構成である場合であって、充電台３にＵＳＢ接続された携帯電話端末２０を内線端末として使用するような場合では、携帯電話通信機能を停止するようにした方が良い。
【０１７８】
この第２の実施形態においても、第１の実施形態と同様に、管理サーバ１０は、携帯電話端末２０からの端末情報を受信すると、当該端末情報を送ってきた携帯電話端末２０に対する推薦カード情報を生成して送信する。第１の実施形態では、カード管理テーブルが携帯電話端末２０の充電台３へのＵＳＢ接続に応じて更新されるので、この時点で、推薦カード情報の更新を行うようにしている。しかし、第２の実施形態では、この時点ではカード管理テーブルを更新することはないので、他の携帯電話端末への推薦カード情報を更新する必要はない。
【０１７９】
そして、この第２の実施形態では、携帯電話端末２０で、使用者が、ＳＩＭカード要求操作をすると共に、これから使用とするＳＩＭカードの選択操作を行うと、図９に示した第１の実施形態における動作シーケンスと同様に、充電台３は、ＳＩＭカード使用許諾要求を管理サーバ１０に送る。
【０１８０】
管理サーバ１０は、第１の実施形態と同様にして、前記使用許諾要求で要求されたＳＩＭカードの使用を許可するか否か判別して、許諾する場合には、充電台３を通じて、要求してきた携帯電話端末２０に、使用許諾ＯＫを送信する。そして、管理サーバ１０は、使用許諾ＯＫを送出したＳＩＭカードの使用状況を「使用待機」の状態に変更してカード管理テーブルを更新する。そして、管理サーバ１０は、端末管理テーブルを参照して、充電台３に接続されている全ての携帯電話端末２０を判定し、判定したそれぞれの携帯電話端末２についての推薦カード情報を、更新されたカード管理テーブルの情報に基づき、更新する。そして、更新した推薦カード情報を、前記他の携帯電話端末２のそれぞれに充電台３を介して送信する。
【０１８１】
そして、管理サーバ１０は、使用許諾ＯＫを送出したＳＩＭカードが装填されているＳＩＭカード装填部６の対応する発光表示部１１を点滅させる。図１８の例では、Ｎｏ．２のＳＩＭカード装填部６２に装填されているＳＩＭカード５２が選択されたので、Ｎｏ．２のＳＩＭカード装填部６２に対応する発光表示部１１２が点滅されている状態を示している。
【０１８２】
この使用許諾ＯＫを受信した携帯電話端末２０は、それをディスプレイ２２５に表示して、使用者に報知する。使用者は、この報知に応じて、携帯電話端末２０と充電台３とのＵＳＢ接続を解除し、管理サーバ１０で発光表示部１１が点滅しているＳＩＭカード装填部６のＳＩＭカード５を取り出して、携帯電話端末２０に装着する。これにより、携帯電話端末２０は、携帯電話通信が可能となる。
【０１８３】
一方、管理サーバ１０では、充電台３からの携帯電話端末取出通知に基づき、端末管理テーブルにおいて、当該携帯電話端末２０についての充電台ＩＤの記録を削除する。そして、管理サーバ１０は、使用者により、ＳＩＭカード装填部６からＳＩＭカード５が取り外されたことにより、カード管理テーブルを更新すると共に、充電台３にＵＳＢ接続されている他の携帯電話端末２０用の推薦カード情報を更新して、その更新した推薦カード情報を前記他の携帯電話端末２０に送信するようにする。
【０１８４】
［第２の実施形態の効果］
上述した第２の実施形態によれば、複数個のＳＩＭカードのうちのいずれかを選択して携帯電話端末２０に装着して使用する場合に、当該携帯電話端末２０で使用可能であるとともに、推薦度の高いものを容易に選択することができて、非常に便利である。
【０１８５】
［第１および第２の実施形態の変形例］
上述の第１および第２の実施形態では、充電台３とＵＳＢ接続されて充電中である全ての携帯電話端末２、２０では、カード管理テーブルに基づく推薦カード報知画面を常時表示するようにしている。このため、管理サーバ１、１０は、カード管理テーブルが更新される毎に、更新後のカード管理テーブルの管理情報を反映した推薦カード情報を生成し、充電台３とＵＳＢ接続されて充電中である全ての携帯電話端末２、２０に通知するようにしている。
【０１８６】
しかし、充電台３に接続されている携帯電話端末２、２０で、使用者が、特定の操作をすることにより管理サーバ１、１０に対して推薦カード情報の取得要求をしたときにのみ、管理サーバ１、１０から、その取得要求をした携帯電話端末２、２０にのみ、推薦カード情報を提供するようにすることもできる。この場合には、使用者は、ＵＳＢ接続を切断して取り出す前に、前記の特定の操作をして、管理サーバ１、１０に対して推薦カード情報の取得要求をし、携帯電話端末２、２０のディスプレイに推薦カード報知画面を表示させ、この推薦カード報知画面においてＳＩＭカード情報の取得要求をすることができる。
【０１８７】
そして、管理サーバ１、１０は、カード管理テーブルを更新したときには、管理サーバ１、１０に対して推薦カード情報の取得要求をしている携帯電話端末２、２０にのみ、更新後の推薦カード情報を送信するようにすれば良い。
【０１８８】
そして、携帯電話端末２、２０側から取得要求をすることで管理サーバ１、１０から推薦カード情報の取得するようにする場合には、取得要求の際に、使用者が推薦度の条件を合わせて指定するようにすることができる。すなわち、例えば、通信料金が安いほど推薦度を高くすることを条件にしたり、使用する地域における通信状況が良いほど推薦度を高くすることを条件にしたり、あるいは、ＧＰＳ機能やナビゲーション機能などの特定の機能を有する端末ほど推薦度を高くすることを条件にしたり、することができる。
【０１８９】
その場合には、管理サーバ１、１０は、予め、キャリア（携帯電話事業者）のＷｅｂページにアクセスして、通信料金についての情報や、携帯電話通信の可能エリアに関する情報などを取得してそれを記憶しておくようにすると共に、携帯電話端末の製造会社のＷｅｂページにアクセスして、端末管理テーブルに登録されている各携帯電話端末の機種毎に備えるＧＰＳ機能やナビゲーション機能などの機能の情報を記憶して保持しておくようにする。そして、管理サーバ１、１０は、前述のようにして使用可能なＳＩＭカードを判別すると共に、推薦カード取得要求に付加されている推薦度の条件により、記憶情報を参照して、指定された推薦度の条件に応じた推薦度を決定し、その推薦度を含む推薦カード情報を生成して、取得要求してきた携帯電話端末２に送信するようにする。
【０１９０】
［その他の実施形態および変形例］
なお、上述の実施形態では、携帯電話端末２、２０のディスプレイの推薦カード報知画面と共に表示されているＳＩＭカードの取得要求アイコンを押下させる操作を、ＳＩＭカード情報要求のトリガ動作とするようにした。しかし、携帯電話端末２、２０のディスプレイ２２５の表示画面に、ＳＩＭカードの取得要求アイコンを設ける代わりに、充電台３に、ＳＩＭカード取得要求ボタンを設け、携帯電話端末２がＵＳＢ接続されているときに、当該ＳＩＭカード取得要求ボタンが押下操作されたことをＳＩＭカード情報要求のトリガ動作とするようにしてもよい。
【０１９１】
また、上述の第１の実施形態では、携帯電話端末２は、充電台（管理用装置）に接続したときに、ＳＩＭカード情報を、充電台を通じて管理サーバに送るようにした。しかし、充電台（管理用装置）に接続したときに、携帯電話端末２で、ＳＩＭカード情報の返却通知のみを行って、メモリ２１２のＳＩＭカード情報を廃棄するようにしても良い。その場合、管理サーバ１でＳＩＭカード情報をコピーしたものを、携帯電話端末２に送るようにして、ＳＩＭカードにＳＩＭカード情報は保持するようにすればよい。
【０１９２】
また、携帯電話端末２，２０からのＳＩＭカード情報や端末情報からなる端末情報等は、充電台３からの要求に応じて送出するようにしたが、携帯電話端末２，２０が、充電台３への接続を検知したときに、自動的に送出するようにしても良い。
【０１９３】
また、上述の実施形態では、使用者が携帯電話端末２、２０で、ＳＩＭカード情報要求操作をすると共に、携帯電話端末でＳＩＭカード情報の選択を行うようにしたが、携帯電話端末２、２０でＳＩＭカード情報の選択を行う操作が、そのまま、ＳＩＭカード情報要求操作とするようにしても勿論良い。
【０１９４】
上述の実施形態では、充電台３とは別に管理サーバ３を設けるようにしたが、複数個の充電台の一つに、複数個のＳＩＭカードの装填部を含め、前記管理サーバの機能の全てを設けるようにしても良い。つまり、管理用装置は、充電台の一つで構成するようにしても良い。
【０１９５】
また、一つの充電台３が複数個のＳＩＭカードの装填部を備え、管理サーバ１は、ＳＩＭカード情報の使用状況管理テーブルと、端末管理テーブルとを備えるように構成しても良い。
【０１９６】
また、充電台３と携帯電話端末２，２０との接続は、充電のための電力伝送も含めて、一つのコネクタで行うためにＵＳＢ接続としたが、携帯電話端末２，２０が備える充電用の端子に充電台３に設けた充電用端子を接続させる構成を備えると共に、信号伝送路を別個に形成する方式であっても良い。その場合の信号伝送路としては、ＵＳＢに限られるものではなく、例えばＢｌｕｅｔｏｏｔｈ（登録商標）や電磁誘導方式を用いた近距離無線通信（ＲＦＩＤ）などを用いても良い。
【０１９７】
また、携帯電話端末２、２０の充電台３からの接続解除は、上述の実施形態では、自動的に検出されるものとして説明したが、携帯電話端末２、２０に設けたボタンやディスプレイに設けたアイコン操作を離脱要求として、管理サーバ１，１０にその旨を通知するようにしてもよい。そして、管理サーバ１，１０は、当該離脱要求を受信したときにＳＩＭカードの選択がなされていないと判別したときには、その旨を、充電台３を通じて携帯電話端末２，２０に通知する。当該通知を受信した携帯電話端末２，２０は、ＳＩＭカードの選択を使用者に促すメッセージを表示するようにすると良い。
【０１９８】
また、上述の実施形態では、管理サーバと各携帯電話端末との接続のためには、管理サーバとＬＡＮで接続される複数個の充電台を用いるようにしたが、ＬＡＮに接続される装置は、充電台の構成ではなく、携帯電話端末を管理サーバに接続させるための接続装置の構成であれば良い。すなわち、その場合には、それぞれの接続装置は、携帯電話端末と管理サーバとの間の中継用装置の役割をするものである。接続装置と管理サーバとの間の接続は、有線であっても、無線であっても良い。
【０１９９】
また、管理用装置を、充電台を備えずに管理サーバのみからなる構成とし、管理サーバに携帯電話端末のそれぞれを、例えばＵＳＢ接続する構成のシステムであっても良い。その場合には、充電台は、管理サーバに接続されずに別途設けられることになる。このため、管理サーバからの充電のための電力伝送は、不要であるので、携帯電話端末２と管理サーバとのＵＳＢ接続は、有線ではなく、無線であっても良い。
【０２００】
携帯電話端末２と管理サーバとを無線接続させる場合、携帯電話端末２に、携帯電話通信用とは別の無線通信手段、例えばＷｉＦｉ（Wireless  Fidelity）やＢｌｕｅｔｏｏｔｈ（登録商標）や電磁誘導方式を用いた近距離無線通信（ＲＦＩＤ）を備えておき、使用者が、その無線通信手段を起動させることにより、管理サーバ１と携帯電話端末２とを無線接続させるようにしても良い。
【０２０１】
使用可能であるＳＩＭカード情報などの識別用情報の報知は、使用可能である識別用情報のみの一覧を携帯電話端末に送信するのではなく、すべての識別用情報の一覧を送るのであるが、そのうちのどれが使用可能であるかを使用者に報知する態様であれば、どのような態様であっても良い。
【０２０２】
なお、この発明における識別用情報は、ＳＩＭカード情報に限らず、携帯電話端末で携帯電話通信を行うために必要な情報であって電話端末毎に異なる識別用情報であれば、どのような識別用情報であっても良い。
【符号の説明】
【０２０３】
１，１０…管理サーバ、２１〜２ｎ，２０１〜２０ｎ…携帯電話端末、３１〜３ｎ…充電台、５１〜５ｍ…ＳＩＭカード、６１〜６ｍ…ＳＩＭカード装填部、８…ＵＳＢケーブル
【図１】
0005672452.tif 000002
【図２】
0005672452.tif 000003
【図３】
0005672452.tif 000004
【図４】
0005672452.tif 000005
【図５】
0005672452.tif 000006
【図６】
0005672452.tif 000007
【図７】
0005672452.tif 000008
【図８】
0005672452.tif 000009
【図９】
0005672452.tif 000010
【図１０】
0005672452.tif 000011
【図１１】
0005672452.tif 000012
【図１２】
0005672452.tif 000013
【図１３】
0005672452.tif 000014
【図１４】
0005672452.tif 000015
【図１５】
0005672452.tif 000016
【図１６】
0005672452.tif 000017
【図１７】
0005672452.tif 000018
【図１８】
0005672452.tif 000019
【図１９】
0005672452.tif 000020
【図２０】
0005672452.tif 000021